(57)【要約】【課題】信号伝送回路の電力消費の抑制及び出力インピーダンスの調整の容易化を図る。【解決手段】トランジスタＭａ、Ｍｂにより形成された終端抵抗スイッチ２８は、トランジスタＭａが飽和領域で動作され、トランジスタＭｂが三極管領域で動作されることで所定のインピーダンスが生じるシンメトリックロード型となっている。ドライバ回路２６は、この終端抵抗スイッチを用いた相補型のインバータ２６Ａ、２６Ｂが形成され、伝送線路へ出力する電圧（Ｖout、Ｖoutx）の振幅を調整する電圧Ｖddtx、Ｖsstxが駆動電圧として供給されて動作する。【選択図】図１
2014007654.tif 000002
【特許請求の範囲】
【請求項１】
一対のトランジスタの一方が飽和領域で動作され、他方が三極管領域で動作されることで所定のインピーダンスが生じる複数のトランジスタスイッチによる相補型のインバータを含み、前記トランジスタスイッチの各々が相補の信号に基づいて駆動されることで、相補の電圧を伝送線路へ出力するドライバ回路と、
前記ドライバ回路に動作電圧として供給する電圧により、前記ドライバ回路から前記伝送線路へ出力する相補の電圧の振幅を調整する第１の電圧源と、
を備える信号伝送回路を含む半導体集積回路。
【請求項２】
前記相補の信号に応じて前記トランジスタスイッチを駆動する相補の駆動電圧を前記ドライバ回路へ出力するプリドライバと、
前記相補の駆動電圧により前記トランジスタスイッチの各々に前記伝送線路の特性インピーダンスに応じたインピーダンスを生じさせるように調整した電圧を、前記プリドライバに動作電圧として供給する第２の電圧源と、
を含む請求項１記載の信号伝送回路。
【請求項３】
前記第１の電圧源が出力する前記動作電圧に基づき、前記第２の電圧源が出力する前記動作電圧を調整する電圧調整部を含む請求項２記載の半導体集積回路。
【請求項４】
前記電圧調整部が、
前記トランジスタスイッチに対応するスイッチを用いた前記ドライバ回路のレプリカ回路と、
前記レプリカ回路へ前記スイッチの各々の駆動電圧を出力する第３の電圧源と、
前記レプリカ回路の出力する電圧が前記レプリカ回路のインピーダンスを前記伝送線路の特性インピーダンスに対応するインピーダンスに整合する電圧となるように前記第３の電圧源の出力する前記駆動電圧を調整する調整部と、
を含み、調整された前記第３の電圧源が出力する前記駆動電圧に応じて前記第２の電圧源が出力する前記動作電圧を調整する、請求項３記載の半導体集積回路。
【請求項５】
一対のトランジスタの一方が飽和領域で動作され、他方が三極管領域で動作されることで所定のインピーダンスが生じる複数のトランジスタスイッチによる相補型のインバータを含み、前記トランジスタスイッチの各々が相補の信号に基づいて駆動されることで、相補の電圧を伝送線路へ出力するドライバ回路と、
前記ドライバ回路に動作電圧として供給する電圧により、前記ドライバ回路から前記伝送線路へ出力する相補の電圧の振幅を調整する第１の電圧源と、
を含む信号伝送回路。
【請求項６】
前記相補の信号に応じて前記トランジスタスイッチを駆動する相補の駆動電圧を前記ドライバ回路へ出力するプリドライバと、
前記相補の駆動電圧により前記トランジスタスイッチの各々に前記伝送線路の特性インピーダンスに応じたインピーダンスを生じさせるように調整した電圧を、前記プリドライバに動作電圧として供給する第２の電圧源と、
を含む請求項５記載の信号伝送回路。
【請求項７】
前記第１の電圧源が出力する前記動作電圧に基づき、前記第２の電圧源が出力する前記動作電圧を調整する電圧調整部を含む請求項６記載の信号伝送回路。
【請求項８】
前記電圧調整部が、
前記トランジスタスイッチに対応するスイッチを用いた前記ドライバ回路のレプリカ回路と、
前記レプリカ回路へ前記スイッチの各々の駆動電圧を出力する第３の電圧源と、
前記レプリカ回路の出力する電圧が前記レプリカ回路のインピーダンスを前記伝送線路の特性インピーダンスに対応するインピーダンスに整合する電圧となるように前記第３の電圧源の出力する前記駆動電圧を調整する調整部と、
を含み、調整された前記第３の電圧源が出力する前記駆動電圧に応じて前記第２の電圧源が出力する前記動作電圧を調整する、請求項７記載の信号伝送回路。
【請求項９】
伝送線路と、
一対のトランジスタの一方が飽和領域で動作され、他方が三極管領域で動作されることで所定のインピーダンスが生じる複数のトランジスタスイッチによる相補型のインバータを含み、前記トランジスタスイッチの各々が相補の信号に基づいて駆動されることで、相補の電圧を前記伝送線路へ出力するドライバ回路、及び前記相補の駆動電圧により前記トランジスタスイッチの各々に前記伝送線路の特性インピーダンスに応じたインピーダンスを生じさせるように調整した電圧を、前記プリドライバに動作電圧として供給する第２の電圧源を備える信号伝送回路と、
を含む信号伝送システム。
【請求項１０】
前記相補の信号に応じて前記トランジスタスイッチを駆動する相補の駆動電圧を前記ドライバ回路へ出力するプリドライバと、
前記相補の駆動電圧により前記トランジスタスイッチの各々に前記伝送線路の特性インピーダンスに応じたインピーダンスを生じさせるように調整した電圧を、前記プリドライバに動作電圧として供給する第２の電圧源と、
を含む請求項９記載の信号伝送システム。
【請求項１１】
前記第１の電圧源が出力する前記動作電圧に基づき、前記第２の電圧源が出力する前記動作電圧を調整する電圧調整部を含む請求項１０記載の信号伝送システム。
【請求項１２】
前記電圧調整部が、
前記トランジスタスイッチに対応するスイッチを用いた前記ドライバ回路のレプリカ回路と、
前記レプリカ回路へ前記スイッチの各々の駆動電圧を出力する第３の電圧源と、
前記レプリカ回路の出力する電圧が前記レプリカ回路のインピーダンスを前記伝送線路の特性インピーダンスに対応するインピーダンスに整合する電圧となるように前記第３の電圧源の出力する前記駆動電圧を調整する調整部と、
を含み、調整された前記第３の電圧源が出力する前記駆動電圧に応じて前記第２の電圧源が出力する前記動作電圧を調整する、請求項１１記載の信号伝送システム。
【請求項１３】
一対のトランジスタの一方が飽和領域で動作され、他方が三極管領域で動作されることで所定のインピーダンスが生じる複数のトランジスタスイッチによる相補型のインバータを含むドライバ回路を用い、
第１の電圧源から前記ドライバ回路に動作電圧として供給する電圧により、前記ドライバ回路から前記伝送線路へ出力する相補の電圧の振幅を調整し、
前記ドライバ回路の前記トランジスタスイッチの各々を相補の信号に基づいて駆動することで、相補の電圧を前記伝送線路（１４）へ出力する、信号伝送方法。
【請求項１４】
前記相補の信号に応じて前記トランジスタスイッチを駆動する相補の駆動電圧を前記ドライバ回路へ出力するプリドライバに、
前記相補の駆動電圧により前記トランジスタスイッチの各々に前記伝送線路の特性インピーダンスに応じたインピーダンスを生じさせるように調整した電圧を、第２の電圧源から前記プリドライバへ動作電圧として供給する、
請求項１３記載の信号伝送方法。
【請求項１５】
電圧調整部により、前記第１の電圧源が出力する前記動作電圧に基づき、前記第２の電圧源が出力する前記動作電圧を調整する、請求項１４記載の信号伝送方法。
【請求項１６】
前記トランジスタスイッチに対応するスイッチを用いた前記ドライバ回路のレプリカ回路に、第３の電圧源から供給する前記スイッチの各々の駆動電圧を、
調整部により、前記レプリカ回路の出力する電圧が前記レプリカ回路のインピーダンスを前記伝送線路の特性インピーダンスに対応するインピーダンスに整合する電圧となるように調整し、
調整された前記第３の電圧源が出力する前記駆動電圧に応じて前記第２の電圧源が出力する前記動作電圧を調整する、
請求項１５記載の信号伝送方法。
【発明の詳細な説明】
【技術分野】
【０００１】
開示する技術は、半導体集積回路、信号伝送回路、信号伝送システム及び信号伝送方法に関する。
【背景技術】
【０００２】
ＬＳＩ（Large  Scale  Integrated  circuit）などの半導体集積回路には、伝送回路及び受信回路の少なくとも一方を含むデータ伝送用のインターフェースが設けられる。このインターフェースは、ＬＳＩ内部、同一回路基板に配置された他のＬＳＩとの間等におけるデータの短距離通信に用いられる。また、ＬＳＩに設けたインターフェースは、回路基板との間、バックプレーンを介して回路基板に接続されたドーターカードとの間、回路基板が設けられたサーバと他のサーバとの間等におけるデータの長中距離通信にも用いられる。
【０００３】
データ伝送を行なうときの伝送精度の向上を図るためには、伝送回路の出力インピーダンス、伝送線路の特性インピーダンス及び受信回路の入力インピーダンスの整合を図る必要がある。ここから、伝送線路と電源との間に、送信されるべきデータに応じてスイッチングされるスイッチのブリッジ回路を設けると共に、ブリッジ回路と電源とをインピーダンス手段により接続した出力バッファ回路が提案されている。
【０００４】
この提案では、出力バッファ回路のレプリカを設け、レプリカの出力インピーダンスを伝送線路の特性インピーダンスに調整し、この調整結果に基づいて出力バッファ回路のインピーダンスを調整する。これにより、上記提案では、出力バッファ回路の出力インピーダンスを伝送線路の特性インピーダンスに整合させている。
【０００５】
近年、データ伝送における高速化と共に、省電力化が要求されている。ここから、電源配線と、グランド配線との間に、複数の差動出力回路を直列接続する提案がなされている。これにより、例えば、３つの差動増幅回路を直列接続することにより、個々に電力を供給する場合に比べて、電力消費を１／３とすることができる。
【０００６】
ところで、伝送線路に接続される伝送回路としては、ＣＭＬ（Current  mode  Logic）で動作する差動伝送回路が一般的である。この差動伝送回路は、トランジスタに終端抵抗として接続される抵抗値によって出力インピーダンスが定まり、出力インピーダンスの調整が困難となっている。
【０００７】
ここから、ＣＭＬで動作するインターフェース回路に、同じ導電型のトランジスタを対に配置して形成したシンメトリックロードを用いた終端抵抗回路と、トランスファーゲートを用いた終端抵抗回路とを設けた提案がなされている。この提案では、シンメトリックロードを用いた終端抵抗回路と、トランスファーゲートを用いた終端抵抗回路とを切り替えることで、出力インピーダンスの調整を行なう。
【先行技術文献】
【特許文献】
【０００８】
【特許文献１】特表２００１−５００３２６号公報
【特許文献２】特開２００９−２００６５１号公報
【特許文献３】特開２００２−１８５３００号公報
【発明の概要】
【発明が解決しようとする課題】
【０００９】
しかしながら、ＣＭＬで動作する伝送回路では、電流源となるトランジスタに一定の電流を流す必要があり、このために、伝送回路における消費電力の抑制が困難となっている。
【００１０】
開示の技術は、一つの側面として、出力インピーダンスの調整を容易にしながら電力消費の抑制を図るものである。
【課題を解決するための手段】
【００１１】
開示の技術は、ドライバ回路が、一対のトランジスタの一方が飽和領域で動作され、他方が三極管領域で動作されることで所定のインピーダンスが生じる複数のトランジスタスイッチによる相補型のインバータを含む。また、ドライバ回路は、前記トランジスタスイッチの各々が相補の信号に基づいて駆動されることで、相補の電圧を伝送線路へ出力する。第１の電圧源は、前記ドライバ回路から前記伝送線路へ出力する相補の電圧の振幅を調整する電圧を、前記ドライバ回路に動作電圧として供給する。
【発明の効果】
【００１２】
開示の技術は、一つの側面として、シンメトリックロードを用いたドライバ回路を電圧モードで動作させることで、電力消費を抑えることができる、という効果を有する。
【図面の簡単な説明】
【００１３】
【図１】本実施形態に係るドライバ回路の要部を示す回路図である。
【図２】本実施形態に係る信号伝送システムの概略を示す機能ブロック図である。
【図３】第１の実施形態に係る信号伝送回路を示す機能ブロック図である。
【図４】（Ａ）は、直列接続した終端抵抗スイッチを示す結線図、（Ｂ）は一つの終端抵抗スイッチを示す結線図、（Ｃ）は三極管領域で動作するトランジスタを示す結線図、（Ｄ）は飽和領域で動作するトランジスタを示す結線図である。
【図５】終端抵抗スイッチの電圧に対するインピーダンスを示す線図である。
【図６】第２の実施形態に係る信号伝送回路を示す機能ブロック図である。
【図７】第２の実施形態に係る電圧調整部を示す機能ブロック図である。
【図８】第２の実施形態に係るロジック回路の機能ブロック図である。
【図９】（Ａ）〜（Ｅ）の各々は、第２の実施形態に係る電圧Ｖｂに対する抵抗スイッチのインピーダンス及び抵抗スイッチの合成インピーダンスを示す線図である。
【図１０】第３の実施形態に係る電圧調整部の要部を示す回路図である。
【図１１】第３の実施形態に係るロジック回路を示す機能ブロック図である。
【図１２】第３の実施形態に係るＤＡＣの要部を示す回路図である。
【図１３】第３の実施形態に係る電圧Ｖｂに対するスイッチ回路が出力する電圧及び合成インピーダンスを示す線図である。
【図１４】第４の実施形態に係る電圧調整部の要部を示す回路図である。
【図１５】第５の実施形態に係る電圧調整部の要部を示す回路図である。
【図１６】第５の実施形態に係るロジック回路の機能ブロック図である。
【図１７】第５の実施形態に係る電圧Ｖｂに対するスイッチ回路の出力する電圧及び合成インピーダンスを示す線図である。
【図１８】比較例とする信号伝送回路の機能ブロック図である。
【図１９】比較例のドライバ回路を示す回路図である。
【発明を実施するための形態】
【００１４】
〔比較例〕
以下、開示の技術の実施形態の説明に先立ち、開示の技術の比較例を説明する。図１８には、本比較例に係る信号伝送回路２００の一例を示している。この信号伝送回路２００は、伝送信号Ｓを伝送線路（図示省略）へ出力するファイナルドライバ部（以下、ドライバ部２０２という）、及び伝送信号に応じた電圧をドライバ部２０２へ出力するプリドライバ部２０４を備える。信号伝送回路２００は、差動伝送方式で伝送信号を出力するようになっており、伝送するためのパラレルデータがシリアルデータに変換されて伝送信号Ｓ及び伝送信号Ｓの逆相の伝送信号Ｓｘがプリドライバ部２０４に入力される。
【００１５】
プリドライバ部２０４には、伝送信号Ｓに対応するプリドライバ２０４Ａ、及び伝送信号Ｓｘに対応するプリドライバ２０４Ｂを備える。プリドライバ２０４Ａ、２０４Ｂは、複数のインバータ２０６がシリアル接続され、レギュレータ２０８から供給される電圧Ｖdd、及びレギュレータ２１０から供給される電圧Ｖssにより動作する。
【００１６】
これにより、プリドライバ部２０４は、プリドライバ２０４Ａから伝送信号Ｓに応じた電圧Ｖinを出力し、プリドライバ２０４Ｂから伝送信号Ｓｘに応じた電圧Ｖinxを出力する。
【００１７】
ドライバ部２０２は、レギュレータ２１２、２１４を備え、レギュレータ２１２から出力される電圧Ｖddt、及びレギュレータ２１４から出力される電圧Ｖsstにより駆動される。このドライバ部２０２は、インバータとして機能するドライバ回路２１６を備え、ドライバ回路２１６が、電圧Ｖin、Ｖinxに応じて動作し、電圧Ｖout、Ｖoutxを出力する。また、レギュレータ２１２、２１４は、出力電圧が可変となっており、ドライバ部２０２は、レギュレータ２１２、２１４の電圧Ｖddt、Ｖsstに応じて、電圧Ｖout、Ｖoutxの振幅（電圧レベル）が制御される。なお、レギュレータ２０８〜２１４は、スパイクノイズ等のノイズの発生を抑制する機能を含む。
【００１８】
一方、図１９には、信号伝送回路２００のドライバ回路２１６を示す。図１８に示すように、信号伝送回路２００は、ドライバ回路２１６として、信号Ｓに対応する電圧Ｖoutを出力するドライバ回路２１６Ａ、及び信号Ｓｘに対応する電圧Ｖoutxを出力するドライバ回路２１６Ｂを備える。なお、ドライバ回路２１６Ａ、２１６Ｂの基本的構成は同じであり、以下では、主としてドライバ回路２１６Ａを例として、ドライバ回路２１６として説明する。
【００１９】
図１９に示すように、ドライバ部２０２は、ドライバ回路２１６に、電圧モードで動作するＳＳＴ（Source  Series  Terminated）回路２１８を用いている。ＳＳＴ回路２１８は、Ｐ型ＭＯＳトランジスタを用いたトランジスタＭｇ、及びＮ型ＭＯＳトランジスタを用いたトランジスタＭｈを含む。
【００２０】
ＳＳＴ回路２１８は、トランジスタＭｇのソースＳに電圧Ｖddtが印加され、トランジスタＭｈのソースＳが接地されている。また、ＳＳＴ回路２１８は、トランジスタＭｇのドレインＤとトランジスタＭｈのドレインＤとの間に、抵抗２２０Ａ、２２０Ｂが直列接続されている。
【００２１】
これにより、ＳＳＴ回路２１８は、インバータとして機能し、トランジスタＭｇ、ＭｈのゲートＧに電圧Ｖinが入力されることにより。抵抗２２０Ａと抵抗２２０Ｂとの接続点から電圧Ｖinに応じた電圧Ｖoutを出力する。なお、図１８に示すように、ドライバ回路２１６Ａは、電圧Ｖinに応じた電圧Ｖoutを出力し、ドライバ回路２１６Ｂは、電圧Ｖinxに応じた電圧Ｖoutxを出力する。
【００２２】
図１９に示すように、ＳＳＴ回路２１８は、トランジスタＭｇに抵抗２２０Ａが接続され、トランジスタＭｈに抵抗２２０Ｂが接続されている。ＳＳＴ回路２１８は、トランジスタＭｇ、Ｍｈが動作したときの抵抗値（以下、オン抵抗という）及び抵抗２２０Ａ、２２０Ｂの抵抗値により、出力インピーダンスが定まる。
【００２３】
ＳＳＴ回路２１８は、トランジスタＭｇとトランジスタＭｈとのトランジスタサイズが合わせられ、抵抗２２０Ａ及び抵抗２２０Ｂの抵抗値が合わせられている。また、伝送線路の特性インピーダンスＺｏが例えば５０Ωである場合、トランジスタＭｇと抵抗２２０ＡとによるインピーダンスＺｕ、及びトランジスタＭｈと抵抗２２０Ｂとによるインピーダンスを５０Ωに近づける必要がある。
【００２４】
しかし、トランジスタＭｇ、Ｍｈのオン抵抗及び抵抗２２０Ａ、２２０Ｂの抵抗値は、製造プロセスに基因してばらつきが生じることがある。また、トランジスタＭｇ、Ｍｈは、ドレインＤ−ソースＳ（トランジスタＭｇはソースＳ−ドレインＤ）間の電圧により抵抗値が変化することがある。このために、ＳＳＴ回路２１８では、出力インピーダンスが所望のインピーダンス（例えば５０Ω）とならないことがある。
【００２５】
トランジスタＭｇ、Ｍｈは、トランジスタサイズが大きくなることによりオン抵抗が小さくなる。したがって、トランジスタＭｇ、Ｍｈのトランジスタサイズを大きくすることで、トランジスタＭｇ、Ｍｈのばらつきに基因するインピーダンスの変化を抑えることができる。しかし、ＳＳＴ回路２１８の出力インピーダンスを伝送線路の特性インピーダンスに整合させ得るものではない。
【００２６】
ここから、信号伝送回路２２０のドライバ部２０２は、ドライバ回路２１６に、複数のＳＳＴ回路２１８を並列に配置し、動作させるＳＳＴ回路２１８の数を調整することにより出力インピーダンスを整合させるようにしている。ドライバ回路２１６は、各ＳＳＴ回路２１８に対して、ＮＡＮＤ回路（以下、ＮＡＮＤ２２２という）及びＮＯＲ回路（以下、ＮＯＲ２２４という）を設けている。ＮＡＮＤ２２２は、出力端子がトランジスタＭｇのゲートＧに接続され、ＮＯＲ２２４は、出力端子ＸがトランジスタＭｈのゲートＧに接続されている。また、ＮＡＮＤ２２２、ＮＯＲ２２４は、各々の一方の入力端子に電圧Ｖinが入力される。
【００２７】
また、ドライバ部２０２では、ドライバ回路２１６の出力インピーダンスの制御信号ＣＩが入力される。各ＳＳＴ回路２１８では、制御信号ＣＩが、ＮＡＮＤ２２２に入力され、また、インバータ２２６を介してＮＯＲ２２４に入力される。
【００２８】
これにより、ドライバ回路２１６では、制御信号ＣＩにより選択されたＳＳＴ回路２１８に電圧Ｖinが入力されて動作する。このとき、ドライバ回路２１６は、動作したＳＳＴ回路２１８の合成インピーダンスが出力インピーダンスとなる。
【００２９】
したがって、信号伝送回路２００は、電圧モードで動作するＳＳＴ回路２１８を含むドライバ回路２１６を用いることで、電流モード（ＣＭＬ）で動作するドライバ回路と比較し、消費電力の抑制が可能となる。また、信号伝送回路２００では、並列接続するＳＳＴ回路２１８の数を調整することで、出力インピーダンスを伝送線路の特性インピーダンスに整合可能となる。
【００３０】
このような信号伝送回路２００では、抵抗２２０Ａ、２２０Ｂの抵抗値に対して、オン抵抗の大きいトランジスタＭｇＭｈを用いることで、トランジスタサイズを小さくすることができる。しかし、複数のＳＳＴ回路２１８を並列接続するために、ドライバ回路２１６は、トランジスタサイズの小さいトランジスタＭｇ、Ｍｈを使用しても、見た目のトランジスタサイズが大きくなる。これに伴い、信号伝送回路２００は、ドライバ回路２１６のトランジスタサイズに応じてプリドライバ部２０４を形成する必要がある。すなわち、プリドライバ２０４Ａ、２０４Ｂは、インバータ２０６のトランジスタサイズを段階的に大きくして、ドライバ回路２１６Ａ、２１６ＢのトランジスタＭｇ、Ｍｈのトランジスタサイズに合わせる必要がある。
【００３１】
インバータ２０６のトランジスタサイズを大きくする場合、前段のインバータ２０６のトランジスタサイズと、後段のインバータ２０６のトランジスタサイズの比率が大きいと、インバータ２０６の動作速度に低下が生じる。動作速度の低下を抑えながらトランジスタサイズを段階的に高くするためには、前段のインバータのトランジスタサイズと後段のインバータのトランジスタサイズの比率を小さくしなければならない（例えば、１．５以下）。このために、ドライバ回路２１６のトランジスタサイズが大きいと、プリドライバ２０４Ａ、２０４Ｂに設けるインバータ２０６の数も多くなってしまう。
【００３２】
したがって、ドライバ回路２１６に設けるＳＳＴ回路２１８の数、プリドライバ部２０４のプリドライバ２０４Ａ、２０４Ｂに設けるインバータ２０６の数は、信号伝送回路２００の電力消費の抑制を阻害することになる。このために、信号伝送回路２００は、電圧モードで動作するＳＳＴ回路２１８を用いることで、電流モードで動作するドライバ回路より電力消費を抑えることができても、抑制できる消費電力には限度がある。
【００３３】
〔第１の実施形態〕
続いて、図面を参照して開示する技術の第１の実施形態の一例を詳細に説明する。
【００３４】
図２には、第１の実施形態に係る信号伝送回路１０を示す。信号伝送回路１０は、開示の技術に係る信号伝送回路の一例である。信号伝送回路１０は、信号伝送システム１２に含まれ、伝送線路１４の一端が接続される。信号伝送システム１２は、開示の技術における信号伝送システムの一例として機能し、伝送線路１４は、開示の技術における伝送線路の一例と機能する。伝送線路１４は、他端が受信回路（図示省略）に接続される。
【００３５】
信号伝送システム１２は、例えば、ＭＵＸ（multiplex）１６により伝送すべきパラレルデータをシリアルデータに変換して伝送信号Ｓを生成し、生成した伝送信号Ｓを信号伝送回路１０に入力する。信号伝送回路１０は、入力された伝送信号Ｓに応じた電圧Ｖoutを伝送線路１４へ出力する。
【００３６】
このような信号伝送システム１２は、信号伝送回路１０が、ＬＳＩやＶＬＳＩ（Very Large-scale  integrated  circuit）などの半導体集積回路（以下、ＬＳＩ１８という）に設けられる。信号伝送システム１２は、信号伝送回路１０を用い、ＬＳＩ１８内、ＬＳＩ１８が設けられた基板内、ＬＳＩ１８が設けられた基板と他の基板との間等において、伝送信号Ｓの伝送を行なう。なお、信号伝送システム１２は、ＬＳＩ１８が設けられたサーバなどの装置と、他のサーバなどの装置との信号伝送に適用することもできる。すなわち、信号伝送システム１２の信号伝送回路１０は、各種の機能部品の間を接続するインターフェースの一部として機能する。
【００３７】
図３には、信号伝送回路１０の一例を示す。開示の技術においては、差動伝送方式で相補の伝送信号Ｓの伝送を行なう。信号伝送システム１０は、相補の伝送信号Ｓとして、伝送信号Ｓ及び伝送信号Ｓと逆相の伝送信号Ｓｘを用い、伝送信号Ｓ、Ｓｘが、信号伝送回路１０に入力される。
【００３８】
この信号伝送回路１０は、ファイナルドライバ部（以下、ドライバ部２０という）、及びプリドライバ部２２を備える。信号伝送回路１０では、信号Ｓ、Ｓｘがプリドライバ部２２に入力される。プリドライバ部２２は、所定数のインバータ２４を備え、インバータ２４がシリアル接続されている。プリドライバ部２２は、信号Ｓに対応するプリドライバ２２Ａ、信号Ｓｘに対応するプリドライバ２２Ｂを備える。プリドライバ２２Ａ、２２Ｂは、開示の技術におけるプリドライバの一例として機能する
【００３９】
プリドライバ部２２は、信号Ｓ、Ｓｘに応じた電圧をドライバ部２０へ出力する。ここで、プリドライバ２２Ａ、２２Ｂは、複数のインバータ２４がシリアル接続され、インバータ２４のトランジスタサイズを段階的に大きくしている。これにより、プリドライバ２２Ａ、２２Ｂは、伝送速度の低下を防止しながら、後述するドライバ部２０のトランジスタサイズに合わせたバッファリングが行なわれるようにしている。
【００４０】
ドライバ部２０には、プリドライバ部２２から出力される電圧が入力される。以下の説明では、ドライバ部２０に入力される電圧を電圧Ｖin、Ｖinxとする。ドライバ部２０は、入力された電圧Ｖin、Ｖinxに応じた電圧Ｖout、Ｖoutxを、伝送線路１４として対で設けられた伝送線路１４Ａ、１４Ｂに出力する。
【００４１】
図１には、信号伝送回路１０に設けたドライバ部２０の一例を示す。ドライバ部２０は、シンメトリックロード（Symmetric  Load）を用いたドライバ回路２６を備える。ドライバ回路２６は、開示の技術におけるドライバ回路の一例として機能する。
【００４２】
ドライバ回路２６は、４個の終端抵抗スイッチ２８Ａ、２８Ｂ、２８Ｃ、２８Ｄ（以下、総称する場合、終端抵抗スイッチ２８とする）を備える。終端抵抗スイッチ２８は、開示の技術におけるトランジスタスイッチの一例として機能する。終端抵抗スイッチ２８の各々は、一対のトランジスタＭａ、Ｍｂを備える。トランジスタＭａは、Ｐ型ＭＯＳトランジスタが用いられ、トランジスタＭｂは、Ｎ型ＭＯＳトランジスタが用いられている。
【００４３】
以下では、Ｐ型ＭＯＳトランジスタとＮ型ＭＯＳトランジスタを用いて説明するが、開示の技術は、２つのＰ型ＭＯＳトランジスタを用いてもよく、２つのＮ型ＭＯＳトランジスタを用いても良い。開示の技術は、一対のトランジスタとして同じ導電型のトランジスタを用いてもよく、異なる導電型のトランジスタを用いても良い。
【００４４】
開示の技術において、同じ導電型とは、一方のトランジスタがＰ型ＭＯＳトランジスタであれば、他方もＰ型ＭＯＳトランジスタであり、また、一方のトランジスタがＮ型ＭＯＳトランジスタであれば、他方もＮ型ＭＯＳトランジスタであることを指す。また、異なる導電型とは、一方がＰ型ＭＯＳトランジスタであれば、他方がＮ型ＭＯＳトランジスタであることを指す。また、導電型とは、チャネル（channel）の極性を含み、同じ導電型は、チャネルの極性が同じであり、異なる導電型とは、チャネルの極性が異なることを含む。
【００４５】
終端抵抗スイッチ２８は、トランジスタＭａのソースＳとトランジスタＭｂのドレインＤとが接続され、トランジスタＭａのドレインＤとトランジスタＭｂのソースＳとが接続されている。ドライバ回路２６は、終端抵抗スイッチ２８Ａ、２８Ｂが直列接続され（以下、接続点をノード３０Ａという）、終端抵抗スイッチ２８Ｃ、２８Ｄが直列接続されている（以下、接続点をノード３０Ｂという）。
【００４６】
また、ドライバ回路２６は、終端抵抗スイッチ２８Ａ、２８Ｂと終端抵抗スイッチ２８Ｃ、２８Ｄとが並列接続されている。これにより、ドライバ回路２６は、４個の終端抵抗スイッチ２８Ａ、２８Ｂ、２８Ｃ、２８Ｄがブリッジ状に接続されている。ドライバ回路２６は、終端抵抗スイッチ２８Ａ、２８Ｂによるインバータ２６Ａ、及び終端抵抗スイッチ２８Ａ、２８Ｂによるインバータ２６Ｂを含み、インバータ２６Ａ、２６Ｂにより相補のインバータとして機能する。なお、以下では、プルアップ側の終端抵抗スイッチ２８Ａと終端抵抗スイッチ２８Ｃとの接続点をノード３０Ｃといい、プルダウン側の終端抵抗スイッチ２８Ｂと終端抵抗スイッチ２８Ｄとの接続点をノード３０Ｄという。
【００４７】
直列接続は、終端抵抗スイッチ２８ＡのトランジスタＭａのドレインＤ及びトランジスタＭｂのソースＳと、終端抵抗スイッチ２８ＢのトランジスタＭａのソースＳ及びトランジスタＭｂのドレインＤとを接続することを指す。また、直列接続は、終端抵抗スイッチ２８ＣのトランジスタＭａのドレインＤ及びトランジスタＭｂのソースＳと、終端抵抗スイッチ２８ＤのトランジスタＭａのソースＳ及びトランジスタＭｂのドレインＤとを接続することを指す。さらに、並列接続は、終端抵抗スイッチ２８ＡのトランジスタＭａのソースＳ及びトランジスタＭｂのドレインＤと、終端抵抗スイッチ２８ＣのトランジスタＭａのソースＳ及びトランジスタＭｂのドレインＤとを接続することを指す。また、並列接続は、終端抵抗スイッチ２８ＢのトランジスタＭａのドレインＤ及びトランジスタＭｂのソースＳと、終端抵抗スイッチ２８ＤのトランジスタＭａのドレインＤ及びトランジスタＭｂのソースＳとを接続することを指す。
【００４８】
ところで、終端抵抗スイッチ２８は、トランジスタＭａ、Ｍｂが並列接続されている。これにより、終端抵抗スイッチ２８は、トランジスタＭａのゲートＧと、トランジスタＭｂのゲートＧとに、相補の信号が入力されることにより、スイッチとして機能する。また、終端抵抗スイッチ２８は、トランジスタＭａ、Ｍｂがオン動作（スイッチとして動作）したときの内部抵抗（オン抵抗）がインピーダンスとなる。
【００４９】
したがって、各終端抵抗スイッチ２８は、トランジスタＭａ、Ｍｂを用いた所謂シンメトリックロードとして機能する。この終端抵抗スイッチ２８を用いたドライバ回路２６は、シンメトリックロード型のドライバ回路として機能する。
【００５０】
ドライバ回路２６は、ノード３０Ｃに電圧Ｖddtxが供給され、ノード３０Ｄに電圧Ｖsstxが供給される。また、ドライバ回路２６は、終端抵抗スイッチ２８Ａ、２８Ｄの各トランジスタＭａのゲートＧに電圧Ｖinが入力され、各トランジスタＭｂのゲートＧに電圧Ｖinxが入力される。また、ドライバ回路２６は、終端抵抗スイッチ２８Ｂ、２８Ｃの各トランジスタＭａのゲートＧに電圧Ｖinxが入力され、各トランジスタＭｂのゲートＧに電圧Ｖinが入力される。
【００５１】
これにより、ドライバ回路２６は、電圧Ｖinに応じた電圧Ｖoutをノード３０Ａから出力し、電圧Ｖinxに応じた電圧Ｖoutxをノード３０Ｂから出力する。
【００５２】
ここで、図４（Ａ）〜図４（Ｄ）を参照しながら、終端抵抗スイッチ２８が、シンメトリックロードとして機能するときのトランジスタＭａ、Ｍｂの動作（以下、終端抵抗スイッチ２６のオン動作という）を説明する。
【００５３】
図４（Ａ）には、電圧Ｖoutを出力するプルアップ側の終端抵抗スイッチ２８Ａ及びプルダウン側の終端抵抗スイッチ２８Ｂを示す。また、図４（Ｂ）には、一つの終端抵抗スイッチ２８を示す。終端抵抗スイッチ２８は、相補の電圧Ｖin、Ｖinxでオン動作したとき、トランジスタＭｂが三極管領域で動作する。また、終端抵抗スイッチ２８は、オン動作するとき、トランジスタＭａのゲートＧが接地された状態となり、トランジスタＭａが飽和領域で動作する。
【００５４】
図４（Ｄ）に示すように、トランジスタＭａは、飽和領域で動作することにより二端子の電子素子（diode）として機能する。このとき、トランジスタＭａの電流増幅率をβｐ、しきい値電圧をＶthpとすると、ゲートＧが接地され、ソース電圧Ｖｓがしきい値Ｖthpを超えていることで、ソース電流Ｉｓは、（１）式で示される。
【００５５】
【数１】
2014007654.tif 000003
また、図４（Ｃ）に示すように、トランジスタＭｂは、線形領域で動作することにより三端子の電子素子（triode）として機能する。このとき、トランジスタＭｂの電流増幅率をβｎ、しきい値電圧をＶthnとすると、ドレイン電流Ｉｄは、（２）式で示される。
【００５６】
【数２】
2014007654.tif 000004
図４（Ｂ）に示すように、終端抵抗スイッチ２８は、トランジスタＭａとトランジスタＭｂとを並列接続したものである。このとき、トランジスタＭａ及びトランジスタＭｂのトランジスタサイズを合わせていると、電流増幅率βは、β＝βｐ＝βｎとなる。ノード３０Ｃの電圧をＶとすると、トランジスタＭｂでは、Ｖ＝Ｖｄとなる。また、トランジスタＭａでは、（１）式から、Ｖ＝Ｖｓ−|Ｖthp|となる。なお、「|Ｖthn|」はしきい値電圧の絶対値を示す。
【００５７】
ここから、（１）式において、（Ｖｓ−|Ｖthp|）＝Ｖｄとすると、電流Ｉoは、（３）式で表される。
【００５８】
【数３】
2014007654.tif 000005
したがって、終端抵抗スイッチ２８は、オン動作したときのノード３０Ｃ−３０Ａ間のインピーダンスが、電圧Ｖｄ及びトランジスタＭｂのゲート電圧Ｖｇに応じた線形抵抗とみなされる。なお、ノード３０Ｃ−３０Ｂ間、ノード３０Ａ−３０Ｄ、及びノード３０Ｂ−３０Ｄ間も同様といえる。
【００５９】
これにより、プルアップ側の終端抵抗スイッチ２８ＡのインピーダンスＺｕ、及びダウンサイド側の終端抵抗スイッチ２８ＢのインピーダンスＺｄは、電圧Ｖddに応じて変化する。
【００６０】
したがって、図１に示すドライバ回路２６は、電圧Ｖddtx及び電圧Ｖsstxに応じて、出力インピーダンスＺoutが変化する。さらに、ドライバ回路２６は、各トランジスタＭｂのゲートＧに入力される電圧Ｖin、Ｖinxの電圧レベルに応じて出力インピーダンスＺoutが変化する。
【００６１】
図３に示すように、ドライバ部２０は、レギュレータ３２及びレギュレータ３４を備える。レギュレータ３２及びレギュレータ３４は、開示の技術における第１の電圧源の一例として機能する。レギュレータ３２は、ドライバ回路２６の電源電圧Ｖdd側に設けられ、動作電圧として電圧Ｖddtxをドライバ回路２６へ出力する。また、レギュレータ３４は、ドライバ回路２６の接地側に設けられ、動作電圧として電圧Ｖsstxをドライバ回路２６へ出力する。
【００６２】
信号伝送回路１０は、レギュレータ３２が出力する電圧Ｖddtx、及びレギュレータ３４が出力する電圧Ｖsstxに基づき、ドライバ回路２６が電圧モードで動作する。
【００６３】
また、プリドライバ部２２は、レギュレータ３６、３８を備える。レギュレータ３６及びレギュレータ３８は、開示の技術における第２の電圧源の一例として機能する。レギュレータ３６は、プリドライバ２２Ａ、２２Ｂの電源電圧Ｖdd側に設けられ、プリドライバ２２Ａ、２２Ｂに所定の電圧Ｖddprを出力する。また、レギュレータ３８は、プリドライバ２２Ａ、２２Ｂの接地側に設けられ、プリドライバ２２Ａ、２２Ｂに、動作電圧として所定の電圧Ｖssprを出力する。プリドライバ２２Ａ、２２Ｂは、レギュレータ３６が出力する電圧Ｖddpr、及びレギュレータ３８が出力する電圧Ｖssprによりインバータ２４が動作する。
【００６４】
ここで、信号伝送回路１０は、ドライバ部２０のレギュレータ３２、３４、及びプリドライバ部２２のレギュレータ３６、３８として出力電圧を可変できる可変レギュレータを用いている。可変レギュレータとしては、ＯＰアンプ（operational  amplifier）などの差動増幅回路、コンパレータを用い、出力電圧をフィードバックすることにより出力電圧が基準電圧となるように制御する一般的構成を適用することができる。
【００６５】
第１の実施形態に係る信号伝送回路１０は、予めレギュレータ３６の電圧Ｖddpr及びレギュレータ３８の電圧Ｖssprが調整される。また、信号伝送回路１０は、レギュレータ３２の電圧Ｖddtx、及びレギュレータ３４の電圧Ｖsstxが調整される。信号伝送回路１０は、ドライバ部２０（ドライバ回路２６）が出力する電圧Ｖout、Ｖoutxの振幅が、レギュレータ３２の電圧Ｖddtx及びレギュレータ３４の電圧Ｖsstxにより調整される。また、信号伝送回路１０は、ドライバ部２０（ドライバ回路２６）の出力インピーダンスＺoutが、伝送線路１４の特性インピーダンスＺoに整合するように、レギュレータ３６の電圧Ｖddpr及びレギュレータ３８の電圧Ｖssprが調整される。
【００６６】
以下、第１の実施形態の作用を説明する。
【００６７】
信号伝送システム１２に用いられる信号伝送回路１０は、差動の伝送信号Ｓ、Ｓｘが、プリドライバ２２Ａ、２２Ｂに入力される。プリドライバ２２Ａは、入力された伝送信号Ｓを、インバータ２４によりバッファリングし、電圧Ｖinを出力し、プリドライバ２２Ａは、入力された伝送信号Ｓｘを、インバータ２４によりバッファリングし、電圧Ｖinxを出力する。
【００６８】
ドライバ部２０は、電圧Ｖin、Ｖinxが入力されることで、電圧Ｖin、Ｖinxによりドライバ回路２６に設けた終端抵抗スイッチ２８Ａ〜２８Ｄがスイッチングされる。これにより、ドライバ部２０は、ドライバ回路２６から、伝送信号Ｓ、Ｓｘに応じた電圧Ｖout、Ｖoutxを伝送線路１４（１４Ａ、１４Ｂ）へ出力する。このとき、ドライバ部２０は、ドライバ回路２６が、レギュレータ３２から供給される電圧Ｖddtx、及びレギュレータ３４から供給される電圧Ｖsstxにより電圧モードで動作する。
【００６９】
ところで、プリドライバ部２２は、信号Ｓ、Ｓｘに応じて出力する電圧Ｖin、Ｖinxの電圧レベルが、レギュレータ３６から出力する電圧Ｖddpr及びレギュレータ３８から出力する電圧Ｖssprにより定まる。
【００７０】
また、ドライバ部２０は、ドライバ回路２６から出力する電圧Ｖin、Ｖinxの電圧レベルが、レギュレータ３２から入力される電圧Ｖddtx、及びレギュレータ３４から入力される電圧Ｖsstxにより定まる。
【００７１】
ここで、ドライバ回路２６は、電圧Ｖddpr、Ｖssprに応じて終端抵抗スイッチ２８のインピーダンスＺが変化する。図５には、終端抵抗スイッチ２８に印加される電圧Ｖｄに対する終端抵抗スイッチ２８のインピーダンスＺの変化の一例を示す。なお、終端抵抗スイッチ２８Ａ〜２８Ｄをブリッジ接続したドライバ回路２６においては、ノード３０Ａ、又はノード３０Ｂの電圧（電圧Ｖout、Ｖoutx）が電圧Ｖｄに対応する。なお、図５においては、Ｖdd＝Ｖddtx−Ｖsstxとなっている。
【００７２】
電圧モードで動作するドライバ回路２６の電圧Ｖｄは、電圧Ｖdd・1／４から電圧Ｖdd・３／４の範囲で可変される。また、電圧Ｖｄは、レギュレータ３２の電圧Ｖddtx及びレギュレータ３４の電圧Ｖsstxにより可変される。ドライバ回路２６に用いるトランジスタＭａ、Ｍｂのトランジスタサイズは、電圧Ｖｄの上記可変範囲でインピーダンスＺが所定範囲（例えば、５０Ω±１０％）となるように設定される。すなわち、ドライバ部２０は、トランジスタＭａ、Ｍｂのトランジスタサイズに応じてレギュレータ３２の電圧Ｖddtx、及びレギュレータ３４の電圧Ｖsstxを調整することで、各終端抵抗スイッチ２８のインピーダンスの可変範囲を定める。また、ドライバ部２０は、レギュレータ３２の電圧Ｖddtx、及びレギュレータ３４の電圧Ｖsstxを調整することで、電圧モードで動作するドライバ回路２６が出力する電圧（Ｖout、Ｖoutx）の振幅を調整する。
【００７３】
これにより、ドライバ部２０では、例えば、電圧Ｖddprが制御されることで、終端抵抗スイッチ２８ＡのインピーダンスＺが伝送線路１４の特性インピーダンスＺｏに整合させることができる。
【００７４】
信号伝送回路１０では、例えば、ＬＳＩ１８への電源投入時などの所定のタイミングでレギュレータ３６から出力する電圧Ｖddpr及びレギュレータ３８から出力する電圧Ｖssprを制御する。なお、ドライバ回路２６の出力インピーダンスＺoutが、ＬＳＩ１８の製造プロセスのばらつきにより定まるものであれば、ＬＳＩ１８の出荷に先立って行なう試験動作時に行なっても良い。
【００７５】
このときに、信号伝送回路１０では、終端抵抗スイッチ２８Ａ〜２８Ｄの各々のインピーダンスＺを、伝送線路１４の特性インピーダンスＺoに整合させるように電圧Ｖddpr、Ｖssprを制御する。これにより、信号伝送回路１０を用いて伝送信号Ｓ、Ｓｘを伝送する時に、出力インピーダンスＺoutに基因する伝送効率の低下を防止することができる。
【００７６】
また、信号伝送回路１０は、ドライバ部２０のドライバ回路２６が電圧モードで動作することにより、電流モードで動作するドライバ回路と比較して、電力消費を抑制することができる。
【００７７】
一方、前記した信号伝送回路２００では、電圧モードで動作するＳＳＴ回路２１８を用いたドライバ回路２１６を設けることにより、電流モードで動作するドライバ回路よりも省電力化が図られている。しかし、信号伝送回路２００では、複数のＳＳＴ回路２１８を並列接続して出力インピーダンスの調整を行なう。このため、信号伝送回路２００は、ドライバ回路２１６のトランジスタサイズが、信号伝送回路１０のドライバ回路２６のトランジスタサイズよりも大きくなる。
【００７８】
例えば、信号伝送回路１０に用いたドライバ回路２６のトランジスタサイズを２とすると、信号伝送回路２００に用いたドライバ回路２１６は、トランジスタサイズが１２（６倍程度）となる。
【００７９】
これにより、伝送速度の低下を防止しながらバッファリングを行なうためには、信号伝送回路２００のインバータ２０６の数は、信号伝送回路１０のインバータ２４の数の３倍以上となる。
【００８０】
したがって、シンメトリックロード型のドライバ回路２６を用いた信号伝送回路１０は、ＳＳＴ回路２１８を用いた信号伝送回路２００に対して、消費電力を１／５以下に抑えることができる。また、伝送回路１０は、ドライバ回路が電流モードで動作する信号伝送回路と比較して、大幅に消費電力を抑制することができる。
【００８１】
〔第２の実施形態〕
次に開示の技術における第２の実施形態を説明する。なお、第２の実施形態の基本的構成は、第１の実施形態と同じであり、第２の実施形態において第１の実施形態と同様の機能部品については、第１の実施形態と同一の符号を付与して、その説明を省略する。
【００８２】
図６には、第２の実施の形態に係る信号伝送回路４０の一例を示す。信号伝送回路４０は、開示の技術における信号伝送回路の一例として機能する。信号伝送回路４０は、プリドライバ部２２に替えてプリドライバ部４２を備えた点で信号伝送回路１０と相違する。
【００８３】
プリドライバ部４２は、レギュレータ３６、３８に替わるレギュレータ４４、４６を備える。レギュレータ４４及びレギュレータ４６は、開示の技術における第２の電圧源の一例として機能する。レギュレータ４４は、電流源４８及びキャパシタ５０が並列接続され、レギュレータ４６は、電流源５２及びキャパシタ５４が並列接続されている。電流源４８、５２は、出力する電流値が可変となっている。レギュレータ４４は、キャパシタ５０が、電流源４６の電流に応じた電圧Ｖddprを出力するように機能する。また、レギュレータ４６は、キャパシタ５４が、電流源５２の電流に応じた電圧Ｖssprを出力するように機能する。これにより、レギュレータ４４、４６は、電流源４８、５２の電流に応じて出力電圧が可変される。
【００８４】
一方、第２の実施形態に係る信号伝送回路４０は、レギュレータ４４、４６から出力する電圧Ｖddpr、Ｖssprを調整する電圧調整部５６を備える。レギュレータ４４、４６の各々は、コンパレータ５８を含む。開示の技術において、コンパレータ５８は、調整部、及び目標生成部の一部として機能する。レギュレータ４４では、プリドライバ２２Ａ、２２Ｂに出力する電圧Ｖddpr、及び電圧調整部５６から出力される電圧Ｖrefdが、コンパレータ５８に入力される。また、レギュレータ４４では、コンパレータ５８の出力する比較結果が電流源４８に入力されることにより、電流源４８の電流が変化する。これにより、レギュレータ４４では、電圧Ｖddprが電圧Ｖrefdとなるように制御される。
【００８５】
レギュレータ４６では、プリドライバ２２Ａ、２２Ｂに出力する電圧Ｖsspr、及び電圧調整部５６から出力される電圧Ｖrefsが、コンパレータ５８に入力される。また、レギュレータ４６では、コンパレータ５８の出力する比較結果が電流源５２に入力されることにより、電流源５２の電流が変化する。これにより、レギュレータ４４では、電圧Ｖssprが電圧Ｖrefsとなるように制御される。
【００８６】
図７には、第２の実施形態に係る電圧調整部５６の一例を示す。電圧調整部５６は、スイッチ回路６０を含む。このスイッチ回路６０は、ドライブ部２０に設けているドライバ回路２６（図１参照）のレプリカ回路の一例として機能する。
【００８７】
スイッチ回路６０は、４個の抵抗スイッチ６２Ａ、６２Ｂ、６２Ｃ、６２Ｄ（以下、総称する場合、抵抗スイッチ６２という）を備える。抵抗スイッチ６２は、開示の技術におけるレプリカ回路のスイッチの一例として機能する。抵抗スイッチ６２の各々は、Ｐ型ＭＯＳトランジスタを用いたトランジスタＭｃ、及びＮ型ＭＯＳトランジスタを用いたトランジスタＭｄを備える。抵抗スイッチ６２は、トランジスタＭｃのソースＳがトランジスタＭｄのドレインＤに接続され、トランジスタＭｃのドレインＤがトランジスタＭｄのソースＳに接続されている。これにより、抵抗スイッチ６２は、トランジスタＭｃのゲートＧ及びトランジスタＭｄのゲートＧに相補の信号が入力されることによりシンメトリックロード型のスイッチとして機能する。
【００８８】
スイッチ回路６０は、抵抗スイッチ６２Ａと抵抗スイッチ６２Ｂとが直列接続され、抵抗スイッチ６２Ｃと抵抗スイッチ６２Ｄとが直列接続されている。また、スイッチ回路６０は、抵抗スイッチ６２Ａ、６２Ｂと、抵抗スイッチ６２Ｃ、６２Ｄとが並列接続されている。これにより、スイッチ回路６０は、抵抗スイッチ６２Ａ〜６２Ｄがブリッジ状に接続されている。
【００８９】
スイッチ回路６０は、抵抗スイッチ６２Ａと抵抗スイッチ６２Ｃとの間のノード６４Ａに電圧Ｖddtx（レギュレータ３２の電圧）が供給され、抵抗スイッチ６２Ｂ、６２Ｄのノード６４Ｂに電圧Ｖsstx（レギュレータ３４の電圧）が供給される。
【００９０】
スイッチ回路６０は、抵抗スイッチ６２Ａ、６２ＤのトランジスタＭｃ及び抵抗スイッチ６２Ｂ、６２ＣのトランジスタＭｄの各ゲートＧに電圧Ｖrinが入力される。また、スイッチ回路６０は、抵抗スイッチ６２Ａ、６２ＤのトランジスタＭｄ及び抵抗スイッチ６２Ｂ、６２ＣのトランジスタＭｅの各ゲートＧに電圧Ｖrinxが入力される。スイッチ回路６０は、電圧Ｖrin、Ｖrinxが入力されることにより、抵抗スイッチ６２Ａと抵抗スイッチ６２Ｂとの間のノード６４Ｃから電圧ｖoutを出力する。また、スイッチ回路６０は、電圧Ｖrin、Ｖrinxが入力されることにより、抵抗スイッチ６２Ｃと抵抗スイッチ６２Ｄとの間のノード６４Ｄから電圧ｖoutxを出力する。
【００９１】
また、スイッチ回路６０は、ノード６４Ｃに抵抗６６Ａが接続され、この抵抗６６Ａを介して電圧Ｖddtxが印加される。また、スイッチ回路６０は、ノード６４Ｄに抵抗６６Ｂが接続され、この抵抗６６Ｂを介して電圧Ｖsstxが印加される。抵抗６６Ａ、６６Ｂは、ドライバ回路２６に接続された伝送経路１４の特性インピーダンスＺｏに応じたインピーダンス（抵抗値Ｒref）となっている。これにより、スイッチ回路６０は、ドライバ回路２６のレプリカとして機能し、ドライバ回路２６が出力する電圧Ｖout、Ｖoutxに応じた電圧ｖout、ｖoutxを出力する。なお、抵抗６６Ａ、６６Ｂは、ＬＳＩ１８内に設けても良い。また、製造プロセスのばらつきに基因する抵抗値Ｒrefの誤差を抑えることを考慮する場合は、ＬＳＩ１８の外部に設けることができる。
【００９２】
ここで、スイッチ回路６０がドライバ回路２６のレプリカであることは、電圧Ｖin、Ｖinxと電圧Ｖrin、Ｖrinxとが等しい場合に、ドライバ回路２６の電圧Ｖout、Ｖoutxとスイッチ回路６０の電圧ｖout、ｖoutxとが等しくなることを含む。また、レプリカは、終端抵抗スイッチ２８Ａ〜２８Ｄと、抵抗スイッチ６２Ａ〜６２Ｄとの間で、電気的特性が比例関係を有することを含む。例えば、トランジスタＭｃ、Ｍｄのトランジスタサイズが、トランジスタＭａ、Ｍｂのトランジスタサイズに対して比例関係を有することを含む。
【００９３】
ここから、スイッチ回路６０は、トランジスタＭｃ、Ｍｄとしてトランジスタサイズが、ドライバ回路２６のトランジスタＭａ、Ｍｂのトランジスタサイズの１／４〜１／８程度のものを用いる。また、スイッチ回路６０は、トランジスタＭｃ、Ｍｄのトランジスタサイズに合わせたインピーダンスに設定した抵抗６６Ａ、６６Ｂを用いる。これにより、信号伝送回路４０は、スイッチ回路６０の電力消費を抑制している。
【００９４】
電圧調整部５６は、レギュレータ６８及びレギュレータ７０を備える。レギュレータ６８及びレギュレータ７０は、開示の技術における第３の電圧源の一例として機能する。レギュレータ６８は、電流源７２及びキャパシタ７４を含み、電流源６８の電流に応じた電圧を電圧Ｖrinとしてスイッチ回路６０へ出力する。また、レギュレータ７０は、電流源７６及びキャパシタ７８を含み、電流源７６の電流に応じた電圧を電圧Ｖrinxとしてスイッチ回路６０へ出力する。
【００９５】
また、レギュレータ６８、７０は、コンパレータ８０を含む。レギュレータ６８は、スイッチ回路６０へ出力する電圧Ｖrin及び後述する目標電圧がコンパレータ８０に入力されることで、電圧Ｖrinが目標電圧となるように電流源７２の電流が制御される。レギュレータ７０は、スイッチ回路６０へ出力する電圧Ｖrinx及び後述する目標電圧がコンパレータ８０に入力されることで、電圧Ｖrinxが目標電圧となるように電流源７６の電流が制御される。
【００９６】
ここで、レギュレータ６８に入力される目標電圧は、電圧Ｖrefdとして、プリドライバ部４２のレギュレータ４４へ出力される。レギュレータ７０に入力される目標電圧は、電圧Ｖrefsとして、プリドライバ部４２のレギュレータ４６へ出力される。これにより、電圧調整部５６は、レギュレータ６８が、プリドライバ部４２のレギュレータ４４として機能し、レギュレータ７０が、プリドライバ部４２のレギュレータ４６として機能する。
【００９７】
一方、電圧調整部５６は、ロジック回路８２及びＤＡＣ（digital−to−analog  converter：デジタル−アナログ変換器）８４Ａ、８４Ｂを含む。ロジック回路８２及びＤＡＣ８４Ａ、８４Ｂは、開示の技術における調整部の一部として機能する。ロジック回路８２には、スイッチ回路６０から出力される電圧ｖout、ｖoutx、及びドライバ部２０の電圧Ｖddtx、Ｖsstxが入力される。また、ロジック回路８２は、例えば、ｎビットのデジタル信号をＤＡＣ８４Ａ、８４Ｂへ出力する。
【００９８】
ＤＡＣ８４Ａは、レギュレータ６８側に設けられ、ロジック回路８２から入力されたデジタル信号をデジタル−アナログ変換する。これにより、ＤＡＣ８４Ａは、基準電圧とする電圧Ｖrefdをコンパレータ８０及びプリドライバ部４２のレギュレータ４４へ出力する。また、ＤＡＣ８４Ｂは、レギュレータ７０側に設けられ、ロジック回路８２から入力されたデジタル信号をデジタル−アナログ変換する。これにより、ＤＡＣ８４Ｂは、目標電圧とする電圧Ｖrefsをコンパレータ８０及びプリドライバ部４２のレギュレータ４６へ出力する。
【００９９】
図８には、第２の実施形態に係るロジック回路８２の一例を示す。ロジック回路８２は、ＤＡＣ８４Ａに対応するロジック回路８２Ａ、及びＤＡＣ８４Ｂに対応するロジック回路８２Ｂを備える。ロジック回路８２Ａ、８２Ｂの各々は、コンパレータ８６、ＮＡＮＤ回路（以下、ＮＡＮＤ８８という）及びカウンタ回路（以下、カウンタ９０という）を備える。
【０１００】
また、ロジック回路８２Ａ、８２Ｂの各々は、抵抗９２Ａ、９２Ｂを備える。抵抗９２Ａ、９２Ｂは、直列接続され、抵抗９２Ａに電圧Ｖddtxが印加され、抵抗９２Ｂに電圧Ｖsstxが印加される。
【０１０１】
ロジック回路８２Ａは、抵抗９２Ａ、９２Ｂの接続点９２Ｃの電圧Ｖｓ、及び電圧ｖoutがコンパレータ８６に入力され、コンパレータ８６が電圧Ｖｓと電圧ｖoutに基づいた比較結果をＮＡＮＤ８８へ出力する。ロジック回路８２Ｂは、抵抗９２Ａ、９２Ｂの接続点９２Ｄの電圧Ｖsx、及び電圧ｖoutxがコンパレータ８６に入力され、コンパレータ８６が電圧Ｖsxと電圧ｖoutに基づいた比較結果をＮＡＮＤ８８へ出力する。
【０１０２】
また、ロジック回路８２Ａ、８２Ｂは、ＮＡＮＤ８８にクロック信号ＣＬＫが入力される。ＮＡＮＤ８８の各々は、クロック信号ＣＬＫ及びコンパレータ８６の比較結果に基づいたパルス信号をカウンタ９０へ出力する。カウンタ９０の各々は、ＮＡＮＤ８８からパルス信号が入力されることで、パルス信号をカウントして、カウント値を出力する。
【０１０３】
ここで、第２の実施形態では、抵抗９２Ａ、９２Ｂの抵抗値を同じにしており、これにより、コンパレータ８６へ基準電圧として出力される電圧Ｖｓ、Ｖｓｘは、Ｖｓ＝（Ｖddtx−Ｖsstx）／２（＝Ｖｓｘ、以下、第２の実施形態では、Ｖｓとする）となる。
【０１０４】
ロジック回路８２Ａは、電圧ｖoutが電圧Ｖｓより低い場合、コンパレータ８６の出力がＨレベルとなり、クロック信号ＣＬＫに応じてＮＡＮＤ８８からパルスが出力される。カウンタ９０は、このパルスをカウントする。また、ロジック回路８２Ａでは、電圧ｖoutが電圧Ｖｓに達することで、コンパレータ８６の出力がＬレベルに切り替わり、ＮＡＮＤ８８からのパルス出力が停止し、カウンタ９０のカウントが停止する。
【０１０５】
ロジック回路８２Ｂは、電圧ｖoutxが電圧Ｖｓより低い場合、コンパレータ８６の出力がＨレベルとなり、クロック信号ＣＬＫに応じてＮＡＮＤ８８からパルスが出力される。カウンタ９０は、このパルスをカウントする。また、ロジック回路８２Ｂでは、電圧ｖoutxが電圧Ｖｓに達することで、コンパレータ８６の出力がＬレベルに切り替わり、ＮＡＮＤ８８からのパルス出力が停止し、カウンタ９０のカウントが停止する。
【０１０６】
ロジック回路８２Ａは、カウンタ９０のカウント値に応じたデジタルデータ（以下、カウント値Ｃｐｄとする）を出力する。また、ロジック回路８２Ｂは、カウンタ９０のカウント値に応じたデジタルデータ（以下、カウント値Ｃｐｓとする）を出力する。
【０１０７】
図７に示すように、電圧調整部５６は、ロジック回路８２Ａから出力されるカウント値ＣｐｄがＤＡＣ８４Ａに入力され、ロジック回路８２Ｂから出力されるカウント値ＣｐｓがＤＡＣ８４Ａに入力される。ＤＡＣ８４Ａは、デジタルデータＣｐｄに基づいた電圧Ｖrefdを出力することで、電圧ｖoutが電圧Ｖｓとなるように、レギュレータ６８が出力する電圧Ｖrinを制御する。また、ＤＡＣ８４Ｂは、デジタルデータＣｐｓに基づいた電圧Ｖrefsを出力することで、電圧ｖoutxが電圧Ｖｓとなるように、レギュレータ７０が出力する電圧Ｖrinxを制御する。これにより、電圧調整部５６では、スイッチ回路６０から出力される電圧ｖout、電圧ｖoutxが電圧Ｖｓとなるように制御される。
【０１０８】
ここで、レギュレータ６８の出力する電圧Ｖrinを、Ｖrin＝Ｖddtx＋Ｖｂ、レギュレータ７０の出力する電圧Ｖrinxを、Ｖrinx＝Ｖsstx−Ｖｂとして、レギュレータ６８、７０の電圧変化を電圧Ｖｂとする。スイッチ回路６０は、シンメトリックロード型の抵抗スイッチ６２を用いていることで、この電圧Ｖｂに応じて出力インピーダンスが変化する。また、スイッチ回路６０は、出力インピーダンスが、抵抗６６Ａ、６６Ｂの抵抗値Ｒrefに整合することで、電圧ｖout、ｖoutxが電圧Ｖｓとなる。
【０１０９】
抵抗値Ｒrefを５０Ωとした場合の電圧Ｖｂの変化に対する抵抗スイッチ６２のインピーダンス及びプルアップ側の抵抗スイッチ６２とプルダウン側の抵抗スイッチ６２の合成インピーダンスの変化を図９（Ａ）〜図９（Ｅ）に示す。
【０１１０】
図９（Ａ）〜図９（Ｅ）は、一例として、スイッチ回路６０の出力インピーダンスの目標を５０Ωとする場合における電圧Ｖｂに対するインピーダンスを示す。このとき、図９（Ａ）〜図９（Ｅ）では、下段が抵抗スイッチ６２のインピーダンスを示し、上段がプルアップ側及びプルダウン側の抵抗スイッチ６２の合成インピーダンスを示す。また、図９（Ａ）〜図９（Ｅ）の各図の下段においては、実線でプルアップ側を示し、破線でプルダウン側を示し、比較の目安とする電圧Ｖ１、Ｖ２は、Ｖ１＜Ｖ２としている。
【０１１１】
また、ＬＳＩ１８内のトランジスタは、製造プロセス等に基因して動作速度の特性が設計時の特性と異なることがある。ここから、トランジスタの設計の速度で動作する特性を「Ｔ」、設計より速く動作する特性を「Ｆ」、設計より遅く動作する特性を「Ｓ」とする。また、動作する速度の特性は、Ｎ型ＭＯＳトランジスタとＰ型ＭＯＳトランジスタとは異なる場合がある。
【０１１２】
ここから、図９（Ａ）は、Ｐ型トランジスタ及びＮ型トランジスタが「Ｔ」（ＴＴとする）、図９（Ｂ）は、Ｐ型トランジスタ及びＮ型トランジスタが「Ｓ」（ＳＳする）。また、図９（Ｃ）は、Ｐ型トランジスタ及びＮ型トランジスタが「Ｆ」（ＦＦとする）を示す。さらに、図９（Ｄ）は、Ｐ型トランジスタが「Ｆ」、及びＮ型トランジスタが「Ｓ」の場合を示し（ＰＦＮＳとする）、図９（Ｅ）は、Ｐ型トランジスタが「Ｓ」、及びＮ型トランジスタが「Ｆ」の場合を示す（ＰＳＮＦとする）。
【０１１３】
図９（Ａ）〜図９（Ｅ）に示すように、抵抗スイッチ６２は、インピーダンスが電圧Ｖｂに応じて変化し、これに伴って、合成インピーダンスも変化する。このとき、特性がＳＳの場合、同じ電圧Ｖｂに対するインピーダンスは、特性ＴＴ、ＰＦＮＳ、ＰＳＮＦの場合より高くなっている。また、特性ＴＴの場合、同じ電圧Ｖｂに対するインピーダンスは、特性ＴＴ、ＰＦＮＳ、ＰＳＮＦの場合より低くなっている。しかし、何れの特性においても、電圧Ｖｂが低いほどインピーダンスが大きく、電圧Ｖｂが高くなるにしたがってインピーダンスが減少する。
【０１１４】
この電圧Ｖｂは、トランジスタＭｃ、ＭｄのゲートＧに入力される電圧であり、シンメトリックロード型のスイッチでは、トランジスタのゲートＧの電圧に応じてもインピーダンスが変化する。
【０１１５】
ここで、例えば、合成インピーダンスを、目標とするインピーダンスに応じた値（例えば、１００Ω）とする。これにより、ドライバ回路２６のレプリカとして設けているスイッチ回路６０の各抵抗スイッチ６２のインピーダンスを、目標とするインピーダンス（５０Ω）に合わせることができる。したがって、トランジスタＭｃ、ＭｄのゲートＧに入力される電圧を調整することにより、スイッチ回路６０の出力インピーダンスを、抵抗６６Ａ、６６Ｂの抵抗値Ｒrefに整合させることができる。
【０１１６】
一方、図６に示すように、伝送信号回路４０では、電圧調整部５６のＤＡＣ８４Ａから出力される電圧Ｖrefdが、プリドライバ２２Ａ側のコンパレータ５８に入力される。これにより、プリドライバ部４２では、レギュレータ４４の出力する電圧Ｖddprが、電圧Ｖrefdとなるように調整される。また、伝送信号回路４０では、電圧調整部５６のＤＡＣ８４Ｂから出力される電圧Ｖrefdが、プリドライバ２２Ｂ側のコンパレータ５８に入力される。これにより、プリドライバ部４２では、レギュレータ４６の出力する電圧Ｖssprが、電圧Ｖrefsとなるように調整される。
【０１１７】
これにより、プリドライバ２２Ａは、スイッチ回路６０における電圧Ｖrinに応じた電圧Ｖinを出力し、プリドライバ２２Ｂは、スイッチ回路６０における電圧Ｖrinxに応じた電圧Ｖinxを出力する。
【０１１８】
このとき、電圧Ｖrin、Ｖrinxは、ドライバ回路２６のレプリカとなるスイッチ回路６０の出力インピーダンスを、伝送線路１４の特性インピーダンスＺoにあわせた抵抗６６Ａ、６６Ｂのインピーダンスに整合させる電圧となっている。これにより、ドライバ回路２６は、出力インピーダンスＺoutが、伝送線路１４の特性インピーダンスＺｏに整合された状態で、電圧Ｖout、Ｖoutxを伝送線路１４へ出力する。したがって、信号伝送回路４０は、シンメトリックロードを用いることが電力消費を抑え、高い伝送効率で信号Ｓ、Ｓｘを伝送することができる。
【０１１９】
〔第３の実施形態〕
次に開示の技術における第３の実施形態を説明する。なお、第３の実施形態の基本的構成は、第２の実施形態と同じであり、第２の実施形態において第１の実施形態と同様の機能部品については、第１の実施形態と同一の符号を付与して、その説明を省略する。
【０１２０】
第３の実施形態では、第２の実施形態の信号伝送回路４０に対し、電圧調整部５６に替えて電圧調整部１００を用いる。電圧調整部１００は、開示の技術における電圧調整部の一例として機能する。図１０には、この電圧調整部１００の一例を示す。電圧調整部１００は、ロジック回路５６に替えてロジック回路１０２を設けている。また、電圧調整部１００は、ＤＡＣ８４Ａ、８４Ｂに替えて、ＤＡＣ１０４、１０６を設けている。
【０１２１】
図１１には、第３の実施形態に係るロジック回路１０２の一例を示す。ロジック回路１０２は、コンパレータ１０８、ＮＡＮＤ回路（以下、ＮＡＮＤ１１０という）、及びカウンタ回路（以下、カウンタ１１２という）を備える。ロジック回路１０２では、スイッチ回路６０から出力される電圧ｖout、ｖoutxがコンパレータ１０８に入力される。ＮＡＮＤ１１０には、コンパレータ１０８の出力及びクロック信号ＣＬＫが入力され、カウンタ１１２には、クロック信号ＣＬＫに応じてＮＡＮＤ１１０が出力するパルスが入力される。カウンタ１１２は、このパルスをカウントする。
【０１２２】
ここで、コンパレータ１０８は、電圧ｖout、ｖoutxを比較することで、例えば、電圧ｖoutが電圧ｖoutxよりも低い場合にＨレベルの信号を出力し、電圧ｖoutが電圧ｖoutxに達することで出力をＬレベルに切り替える。ＮＡＮＤ１１０は、コンパレータ１０８がＨレベルの信号を出力している場合に、クロック信号ＣＬＫに同期してパルスを出力し、コンパレータ１０８の出力がＬレベルとなることでパルスの出力を停止する。
【０１２３】
これにより、ロジック回路１０２は、電圧ｖout、ｖoutxを相対的に変化させた場合、電圧ｖoutが電圧ｖoutxより低い間は、カウンタ１１２のカウント値がカウントアップされて出力される。また、ロジック回路１０２は、電圧ｖoutが電圧ｖoutxに達することでカウンタ１１２のカウントアップが停止する。カウンタ１１２は、例えば、ｎ個のビットデータを出力する。なお、ｎ個のビットデータに限らず、ＤＡＣに合わせてバイナリデータ等として出力するものであっても良い。
【０１２４】
図１０に示すように、ロジック回路１０２のカウント値Ｃｐは、ＤＡＣ１０４、及びＤＡＣ１０６の各々に入力される。図１２には、第３の実施形態に係るＤＡＣ１０４、１０６を示す。ＤＡＣ１０４、１０６は、ＤＡＣ１０４がインバータ１１４を備える点で相違する。なお、インバータ１１４は、ロジック回路１０２に設けても良い。
【０１２５】
ＤＡＣ１０４、１０６は、Ｐ型ＭＯＳトランジスタを用いたトランジスタＭｅ、及び抵抗値Ｒ０の抵抗１１６を備える。ＤＡＣ１０４、１０６は、カウンタ１１２（図１１参照）がカウント値Ｃｐとして出力するビット数ｎに応じた数のトランジスタＭｅおよび抵抗１１６が並列接続されている。
【０１２６】
ＤＡＣ１０４、１０６は、各トランジスタＭｅのドレインＤに抵抗１１６の一端が接続されている。また、ＤＡＣ１０４は、各抵抗１１６の他端に、抵抗値Ｒ１の抵抗１１８Ａ及び抵抗値Ｒ２の抵抗１１８Ｂが接続されている。また、ＤＡＣ１０６は、各抵抗１１６の他端に、抵抗値Ｒ３の抵抗１２０Ａ及び抵抗値Ｒ４の抵抗１２０Ｂが接続されている。
【０１２７】
ＤＡＣ１０４は、トランジスタＭｅのソースＳ及び抵抗１１８Ｂに電圧Ｖddが印加され、抵抗１１８Ａが接地されている。また、ＤＡＣ１０６は、トランジスタＭｅのソースＳ及び抵抗１１２０Ｂに電圧Ｖddが印加され、抵抗１２０Ａが接地されている。
【０１２８】
ＤＡＣ１０６は、トランジスタＭｅのゲートＧに、カウント値Ｃｐのビットデータが入力され、このビットデータによりトランジスタＭｅがオン又はオフされる。ＤＡＣ１０４は、トランジスタＭｅの各々にインバータ１１４が設けられ、インバータ１１４を介してトランジスタＭｅのゲートＧに、カウント値のビットデータが入力され、このビットデータに応じてトランジスタＭｅがオン又はオフされる。これによりカウント値Ｃｐが０である場合、ＤＡＣ１０６では、ｎ個のトランジスタＭｅがオンし、ＤＡＣ１０４では、ｎ個のトランジスタＭｅがオフする。また、カウント値Ｃｐが増加する場合、ＤＡＣ１０６では、オン駆動するトランジスタＭｅの数がカウント値Ｃｐに応じて増加し、ＤＡＣ１０４では、オン駆動するトランジスタＭｅの数がカウント値Ｃｐに応じて減少する。
【０１２９】
ＤＡＣ１０４、１０６は、カウント値Ｃｐが０の場合に出力する電圧Ｖrefd、Ｖrefsが初期値となる。ＤＡＣ１０４は、抵抗１１８Ｂの抵抗値Ｒ２抵抗１１８Ａの抵抗値Ｒ１の比により電圧Ｖrefdの初期値が設定される。また、ＤＡＣ１０６は、ｎ個の抵抗１１６の抵抗値Ｒ０及び抵抗１２０Ａの抵抗値Ｒ３の合成抵抗と抵抗１２０Ｂの抵抗値Ｒ４との比により、電圧Ｖrefsの初期値が設定されている。
【０１３０】
図１０に示すように、電圧調整部１００は、ＤＡＣ１０４の出力する電圧Ｖrefdが、レギュレータ６８に設けているコンパレータ８０に入力される。また、電圧調整部１００は、ＤＡＣ１０６の出力する電圧Ｖrefsが、レギュレータ７０に設けているコンパレータ８０に入力される。これにより、電圧調整部１００は、レギュレータ６８の電圧Ｖrinがカウント値Ｃｐの増加に応じて上昇し、レギュレータ６８の電圧Ｖrinxがカウント値Ｃｐの増加に応じて低下する。
【０１３１】
ここで、一例として、レギュレータ６８の出力する電圧Ｖrinを、Ｖrin＝Ｖddtx＋Ｖｂとし、レギュレータ７０の出力する電圧Ｖrinxを、Ｖrinx＝Ｖsstx−Ｖｂとする。図１３には、このときの電圧Ｖｂの変化に対する電圧ｖout、ｖoutxの変化（図１３の下段に示す）、及びプルアップ側とプルダウン側の抵抗スイッチ６２の合成インピーダンスの変化を示す（図１３の上段に示す）。なお、図１３の下段では、電圧ｖoutを実線で示し、電圧ｖoutxを破線で示している。
【０１３２】
電圧調整部１００は、ロジック回路１０２を用いて、ドライバ回路２６のレプリカであるスイッチ回路６０の電圧ｖoutと電圧ｖoutxとを合わせるように電圧Ｖrin、Ｖrinxを制御する。図１３に示すように、電圧調整部１００は、電圧ｖout、Ｖoutxを合わせることで、プリアップ側とプルダウン側との合成インピーダンスを、基準とする抵抗６６Ａ 、６６Ｂの抵抗値Ｒrefに応じたインピーダンス（例えば、１００Ω）に合わせることができる。
【０１３３】
したがって、電圧調整部１００から出力する電圧Ｖrefd、Ｖrefsに基づいて電圧Ｖddpr、Ｖssprを制御することで、ドライバ回路２６の出力インピーダンスＺoutを、伝送線路１４の特性インピーダンスＺｏに整合させることができる。また、電圧調整部１００を用いた信号伝送回路４０は、ドライバ回路２６の出力インピーダンスＺoutを伝送線路１４の特性インピーダンスＺｏに整合されることにより、効率的かつ高精度の信号伝送が可能となる。
【０１３４】
〔第４の実施形態〕
次に開示の技術における第４の実施形態を説明する。なお、第４の実施形態の基本的構成は、第２の実施形態と同じであり、第４の実施形態において第２の実施形態と同様の機能部品については、第２の実施形態と同一の符号を付与して、その説明を省略する。
【０１３５】
図１４には、第４の実施形態に係る信号伝送回路１２０の概略構成を示している。信号伝送回路１２０は、前記した信号伝送回路４０に対して、プリドライバ部１２２が相違する。第４の実施形態に係るプリドライバ部１２２には、出力電圧が可変されるレギュレータ４４、４６に加え、レギュレータ１２４、１２６を備える。
【０１３６】
レギュレータ１２４は、インバータ２４へ供給する電圧として予め設定された電圧（以下、第４の実施形態では電圧Ｖddpとする）を出力する。また、レギュレータ１２６は、インバータ２４へ供給する電圧として予め設定された電圧（以下、第４の実施形態では電圧Ｖsspとする）を出力する。
【０１３７】
信号伝送回路１２０では、信号Ｓ側のプリドライバ１２２Ａのインバータ２４が、ドライバ部２０に接続された最終段のインバータ２４Ａと、このインバータ２４Ａよりも信号Ｓの入力側のインバータ２４Ｂに分けられている。プリドライバ１２２Ａは、レギュレータ６８から出力される電圧Ｖddprがインバータ２４Ａに供給され、レギュレータ１２４から出力される電圧Ｖddpがインバータ２４Ｂに供給される。
【０１３８】
また、信号伝送回路１２０では、信号Ｓｘ側のプリドライバ１２２Ｂのインバータ２４が、ドライバ部２０に接続された最終段のインバータ２４Ｃと、このインバータ２４Ｃよりも信号Ｓｘの入力側のインバータ２４Ｄとに分けられている。プリドライバ１２２Ｂは、レギュレータ７０から出力される電圧Ｖssprがインバータ２４Ｃに供給され、レギュレータ１２６から出力される電圧Ｖsspがインバータ２４Ｄに供給される。
【０１３９】
すなわち、プリドライバ部１２２は、電圧調整部５６により調整された電圧Ｖddprによりプリドライバ１２２Ａの最終段のインバータ２４Ａが駆動される。また、プリドライバ部１２２は、電圧調整部５６により調整された電圧Ｖssprによりプリドライバ１２２Ｂの最終段のインバータ２４Ｃが駆動される。
【０１４０】
これにより、信号伝送回路１２０は、電圧調整部５６により調整された電圧Ｖin及び電圧Ｖinxが、ドライバ回路２６に入力される。信号伝送回路１２０は、ドライバ部２０（ドライバ回路２６）の出力インピーダンスＺoutを、電圧調整部５６により高精度に調整することができるので、電力消費の抑制及び特性インピーダンスＺｏへの高精度の整合により、信号伝送の精度及び効率が向上される。
【０１４１】
なお、信号伝送回路１２０は、電圧調整部５６に替えて、電圧調整部１００を用いることもできる。
【０１４２】
〔第５の実施形態〕
次に開示の技術における第５の実施形態を説明する。なお、第５の実施形態の基本的構成は、第２の実施形態と同じであり、第５の実施形態において第２の実施形態と同様の機能部品については、第２の実施形態と同一の符号を付与して、その説明を省略する。
【０１４３】
第５の実施形態では、第２〜第４の実施形態と電圧調整部１３０が相違する。図１５には、第５の実施形態に係る電圧調整部１３０の一例を示す。なお、電圧調整部１３０は、第２の実施形態の信号伝送回路４０及び第４の実施形態に係る信号伝送回路１２０に適用することができる。
【０１４４】
電圧調整部１３０は、開示の技術における電圧調整部の一例として機能する。電圧調整部１３０は、スイッチ回路６０に、抵抗値Ｒrefの抵抗１３２Ａ、１３２Ｂが接続されている。第５の実施形態では、スイッチ回路６０のノード６４Ｃに接続された抵抗１３２Ａ、及びスイッチ回路６０のノード６４Ｄに接続された抵抗１３２Ｂには、電圧Ｖhalfが供給される。電圧Ｖhalfは、ドライバ部２０のレギュレータ３２が出力する電圧Ｖddtxと、ドライバ部２０のレギュレータ３４が出力する電圧Ｖsstxとの差の１／２の電圧としている。すなわち、電圧Ｖhalfは、Ｖhalf＝（Ｖddtx−Ｖsstx）／２となっている。
【０１４５】
これにより、電圧調整部１３０は、電圧ｖoutが、電圧Ｖhalf、抵抗１３２Ａの抵抗値Ｒref及びスイッチ回路６０のインピーダンスに応じて定まり、電圧ｖoutxが、電圧Ｖhalf、抵抗１３２Ｂの抵抗値Ｒref及びスイッチ回路６０のインピーダンスに応じて定まる。
【０１４６】
電圧調整部１３０は、ロジック回路１３４を備える。ロジック回路１３４には、スイッチ回路６０のノード６４Ｃの電圧ｖout、スイッチ回路６０のノード６４Ｄの電圧ｖoutx、及びドライバ部２０の電圧Ｖddtx、Ｖsstxが入力される。また、電圧調整部１３０は、レギュレータ６８側にＤＡＣ１０４を備え、レギュレータ７０側にＤＡＣ１０６を備える。レギュレータ６８は、ＤＡＣ１０４から出力される電圧Ｖrefdに基づいて電圧Ｖrinが制御され、レギュレータ７０は、ＤＡＣ１０６から出力される電圧Ｖrefsに基づいて電圧Ｖrinxが制御される。
【０１４７】
図１６には、第５の実施形態に係るロジック回路１３４の一例を示す。ロジック回路１３４は、コンパレータ１３６Ａ、１３６Ｂ、コンパレータ１３６Ａ、１３６Ｂから出力された信号が入力されるＥＸＣＬＵＳＩＶＥ−ＯＲ回路（エクスクルーシブ  オア回路、以下、ＸＯＲ１３８という）を含む。また、ロジック回路１３４は、ＸＯＲ１３８の出力信号とクロック信号ＣＬＫとが入力されるＮＡＮＤ回路（以下、ＮＡＮＤ１４０という）、及びＮＡＮＤ１４０から出力されるパルスをカウントするカウンタ回路（以下、カウンタ１４２という）を含む。
【０１４８】
また、ロジック回路１３６は、抵抗１４４Ａ、１４４Ｂ、１４６Ａ、１４６Ｂを含む。抵抗１４４Ａ、１４４Ｂは、直列接続され一方に電圧Ｖddtxが印加され、他方に電圧Ｖsstxが印加され、抵抗１４４Ａ、１４４Ｂにより分圧された電圧が、コンパレータ１３６Ａに入力される。また、コンパレータ１３６Ａには、電圧ｖoutが入力される。
【０１４９】
抵抗１４６Ａ、１４６Ｂは、直列接続され一方に電圧Ｖddtxが印加され、他方に電圧Ｖsstxが印加され、抵抗１４６Ａ、１４６Ｂにより分圧された電圧が、コンパレータ１３６Ｂに入力される。また、コンパレータ１３６Ｂには、電圧ｖoutxが入力される。
【０１５０】
図１５に示すように、電圧調整部１３０では、抵抗１３２Ａ、１３２Ｂに電圧Ｖhalfを印加している。ここから、図１６に示すように、ロジック回路１３０では、基準電圧として出力する電圧Ｖrdを抵抗１４４Ａ、１４４Ｂにより分圧し、基準電圧として出力する電圧Ｖrsを抵抗１４６Ａ、１４６Ｂにより分圧する。ここから、各抵抗の抵抗値は、電圧Ｖrd、電圧Ｖrs及び電圧Ｖhalfに基づいて設定されている。
【０１５１】
すなわち、電圧ｖoutに対する電圧Ｖrdは、Ｖrd＝（Ｖddtx−Ｖsstx）／４としており、これに合わせて、抵抗１４４Ａの抵抗値Ｒ５及び抵抗１４４Ｂの抵抗値Ｒ６が設定されている。また、電圧ｖoutxに対する電圧Ｖrsは、Ｖrs＝（Ｖddtx−Ｖsstx）・３／４としており、これに合わせて、抵抗１４６Ａの抵抗値Ｒ７及び抵抗１４６Ｂの抵抗値Ｒ８が設定されている。
【０１５２】
これにより、ＸＯＲ１３８は、電圧ｖoutが電圧Ｖrdより低いか、又は電圧Ｖoutxが電圧Ｖrsより低い間、Ｈレベルの信号を出力する。すなわち、ＸＯＲ１３８は、電圧ｖoutが電圧Ｖrdより高くなるか、又は電圧Ｖoutxが電圧Ｖrsより高くなることで、出力がＨレベルからＬレベルに切り替わる。ＮＡＮＤ１４０は、クロック信号ＣＬＫに応じてパルスを出力する。また、ＮＡＮＤ１４は、電圧ｖoutが電圧Ｖrdに達し、電圧Ｖoutxが電圧Ｖrsに達することによりパルスの出力を停止する。
【０１５３】
ロジック回路１３４は、ＮＡＮＤ１４０からパルスが出力されている間、このパルスをカウントし、カウント値Ｃｐを出力する。また、ロジック回路１３４は、ＮＡＮＤ１４０がパルスの出力を停止することで、カウンタ１４２がカウントを停止し、その時点のカウント値Ｃｐを出力する。
【０１５４】
図１５に示すように、電圧調整回路１３０では、ロジック回路１３４のカウント値Ｃｐが、ＤＡＣ１０４、１０６の各々に入力される。ＤＡＣ１０４は、カウント値Ｃｐに応じた電圧Ｖrefdを出力し、レギュレータ６８は、電圧Ｖrefdに応じた電圧Ｖinを出力する。ＤＡＣ１０６は、カウント値Ｃｐに応じた電圧Ｖrefsを出力し、レギュレータ６８は、電圧Ｖrefsに応じた電圧Ｖinxを出力する。
【０１５５】
ここで、第５の実施の形態において、レギュレータ６８の出力する電圧Ｖrinを、Ｖrin＝Ｖddtx＋Ｖｂ、レギュレータ７０の出力する電圧Ｖrinxを、Ｖrinx＝Ｖsstx−Ｖｂとする。図１７には、このときの電圧Ｖｂの変化に対する電圧ｖout、ｖoutxの変化（図１７の下段に示す）、及びプルアップ側とプルダウン側の抵抗スイッチ６２の合成インピーダンスの変化を示す（図１７の上段に示す）。なお、図１７の下段においては、電圧ｖoutを実線で示し、電圧ｖoutxを破線で示している。
【０１５６】
図１７に示すように、電圧調整部１３０では、電圧Ｖｂに応じてスイッチ回路６０から出力する電圧ｖout、ｖoutxが変化し、これに伴い、合成インピーダンスも変化する。
【０１５７】
ここで、電圧ｖoutが電圧Ｖrdに達し、かつ電圧ｖoutxが電圧Ｖrsに達すると、合成インピーダンスは、目標とする１００Ωとなる。したがって、電圧調整部１３０では、ロジック回路１３４を用いることにより、スイッチ回路６０の出力インピーダンスを目標とするインピーダンスに調整することができる。
【０１５８】
電圧調整部１３０は、このときの電圧Ｖrefd、Ｖrefsを用いて、プリドライバ部２２の電圧Ｖddpr及び電圧Ｖsspr、すなわち、ドライバ部２０のドライバ回路２６に入力する電圧Ｖin、Ｖinxを制御する。
【０１５９】
したがって、電圧調整部１３０は、ドライバ回路２６の出力インピーダンスＺoutを、伝送線路１４の特性インピーダンスＺｏに整合させることができる。
【０１６０】
以上説明した第１から第５の実施形態は、開示の技術を限定するものではない。開示の技術は、上記実施形態に記載に限らず、各部分が目的とする機能を含む形態であれば良い。また、本明細書に記載された全ての特許出願及び特許出願に開示される技術文献は、個々の文献、特許出願及び技術規格が参照により取り込まれることが具体的かつ個々に記された場合と同程度に、本明細書中に、参照により取り込まれる。
【０１６１】
開示の技術は以下の付記を含む。
【０１６２】
（付記１）
一対のトランジスタ（Ｍａ、Ｍｂ）の一方が飽和領域で動作され、他方が三極管領域で動作されることで所定のインピーダンスが生じる複数のトランジスタスイッチ（２８Ａ〜２８Ｄ）による相補型のインバータ（２６Ａ、２６Ｂ）を含み、前記トランジスタスイッチの各々が相補の信号（Ｓ、Ｓｘ）に基づいて駆動されることで、相補の電圧（Ｖout、Ｖoutx）を伝送線路（１４）へ出力するドライバ回路（２６）と、
前記ドライバ回路に動作電圧（Ｖddtx、Ｖsstx）として供給する電圧により、前記ドライバ回路から前記伝送線路へ出力する相補の電圧（Ｖout、Ｖoutx）の振幅を調整する第１の電圧源（３２、３４）と、
を備える信号伝送回路（１０、４０、１２０）を含む半導体集積回路（１８）。
【０１６３】
（付記２）
一対のトランジスタ（Ｍａ、Ｍｂ）によるシンメトリックロード型の複数のトランジスタスイッチ（２８Ａ〜２８Ｄ）による相補型のインバータ（２６Ａ、２６Ｂ）を含み、前記トランジスタスイッチの各々が相補の信号（Ｓ、Ｓｘ）に基づいて駆動されることで、相補の電圧（Ｖout、Ｖoutx）を伝送線路へ出力するドライバ回路（２６）と、
前記ドライバ回路に動作電圧（Ｖddtx、Ｖsstx）として供給する電圧により、前記ドライバ回路から前記伝送線路へ出力する相補の電圧（Ｖout、Ｖoutx）の振幅を調整する第１の電圧源（３２、３４）と、
を備える信号伝送回路（１０、４０、１２０）を含む半導体集積回路（１８）。
【０１６４】
（付記３）
前記相補の信号（Ｓ、Ｓｘ）に応じて前記トランジスタスイッチを駆動する相補の駆動電圧（Ｖin、Ｖinx）を前記ドライバ回路へ出力するプリドライバ（２２Ａ、２２Ｂ、１２２Ａ、１２２Ｂ）と、
前記相補の駆動電圧により前記トランジスタスイッチの各々に前記伝送線路の特性インピーダンス（Ｚｏ）に応じたインピーダンスを生じさせるように調整した電圧を、前記プリドライバに動作電圧（Ｖddpr、Ｖsspr）として供給する第２の電圧源（３６、３８、４４、４６）と、
を含む付記１又は付記２記載の半導体集積回路（１０、４０、１２０）。
【０１６５】
（付記４）
前記第１の電圧源が出力する電圧に基づき、前記第２の電圧源が出力する前記動作電圧を調整する電圧調整部（５６、１００、１３０）を含む付記３記載の半導体集積回路（１８）。
【０１６６】
（付記５）
前記電圧調整部（５６、１００、１３０）が、
前記トランジスタスイッチに対応するスイッチ（６２Ａ〜６２Ｄ）を用いた前記ドライバ回路のレプリカ回路（６０）と、
前記レプリカ回路へ前記スイッチの各々の駆動電圧（Ｖrin、Ｖrinx）を出力する第３の電圧源（６８、７０）と、
前記レプリカ回路の出力する電圧（ｖout、ｖoutx）が前記レプリカ回路のインピーダンスを前記伝送線路の特性インピーダンスに対応するインピーダンスに整合する電圧となるように前記第３の電圧源の出力する前記駆動電圧を調整する調整部（８２、１０２、１３４）と、
を含み、調整された前記第３の電圧源が出力する前記駆動電圧に応じて前記第２の電圧源が出力する前記動作電圧を調整する、付記４記載の半導体集積回路(１８)。
【０１６７】
（付記６）
前記調整部が、
前記第１の電圧源の出力する前記動作電圧（Ｖddtx、Ｖsstx）に基づいて設定した基準電圧（Ｖｓ、Ｖsx）と、前記レプリカ回路の出力電圧（ｖout、ｖoutx）とを比較する比較部（８６、１３６Ａ、１３６Ｂ）と、
前記レプリカ回路の出力電圧（ｖout、ｖoutx）が前記基準電圧（Ｖｓ、Ｖsx）となるように、前記第３の電圧源の出力する前記駆動電圧の目標電圧を生成する目標生成部（８４Ａ、８４Ｂ、１０４、１０６)と、
を含む付記５記載の半導体集積回路（１８）。
【０１６８】
（付記７）
前記調整部が、
前記レプリカ回路が出力する相補の出力電圧（ｖout、ｖoutx）を比較する比較部（１０８）と、
前記相補の出力電圧の差が小さくなるように、前記第３の電圧源の出力する前記駆動電圧の目標電圧を生成する目標生成部（１０４、１０６）と、
を含む付記５記載の半導体集積回路（１８）。
【０１６９】
（付記８）
一対のトランジスタ（Ｍａ、Ｍｂ）の一方が飽和領域で動作され、他方が三極管領域で動作されることで所定のインピーダンスが生じる複数のトランジスタスイッチ（２８Ａ〜２８Ｄ）による相補型のインバータ（２６Ａ、２６Ｂ）を含み、前記トランジスタスイッチの各々が相補の信号（Ｓ、Ｓｘ）に基づいて駆動されることで、相補の電圧（Ｖout、Ｖoutx）を伝送線路（１４）へ出力するドライバ回路（２６）と、
前記ドライバ回路に動作電圧（Ｖddtx、Ｖsstx）として供給する電圧により、前記ドライバ回路から前記伝送線路へ出力する相補の電圧（Ｖout、Ｖoutx）の振幅を調整する第１の電圧源（３２、３４）と、
を含む信号伝送回路（１０、４０、１２０）。
【０１７０】
（付記９）
一対のトランジスタ（Ｍａ、Ｍｂ）によるシンメトリックロード型の複数のトランジスタスイッチ（２８Ａ〜２８Ｄ）による相補型のインバータ（２６Ａ、２６Ｂ）を含み、前記トランジスタスイッチの各々が相補の信号（Ｓ、Ｓｘ）に基づいて駆動されることで、相補の電圧（Ｖout、Ｖoutx）を伝送線路へ出力するドライバ回路（２６）と、
前記ドライバ回路に動作電圧（Ｖddtx、Ｖsstx）として供給する電圧により、前記ドライバ回路から前記伝送線路へ出力する相補の電圧（Ｖout、Ｖoutx）の振幅を調整する第１の電圧源（３２、３４）と、
を含む信号伝送回路（１０、４０、１２０）。
【０１７１】
（付記１０）
前記相補の信号（Ｓ、Ｓｘ）に応じて前記トランジスタスイッチを駆動する相補の駆動電圧（Ｖin、Ｖinx）を前記ドライバ回路へ出力するプリドライバ（２２Ａ、２２Ｂ、１２２Ａ、１２２Ｂ）と、
前記相補の駆動電圧により前記トランジスタスイッチの各々に前記伝送線路の特性インピーダンス（Ｚｏ）に応じたインピーダンスを生じさせるように調整した電圧を、前記プリドライバに動作電圧（Ｖddpr、Ｖsspr）として供給する第２の電圧源（３６、３８、４４、４６）と、
を含む付記８又は付記９記載の信号伝送回路（１０、４０、１２０）。
【０１７２】
（付記１１）
前記第１の電圧源が出力する前記動作電圧に基づき、前記第２の電圧源が出力する前記動作電圧を調整する電圧調整部（５６、１００、１３０）を含む付記１０記載の信号伝送回路（４０、１２０）。
【０１７３】
（付記１２）
前記電圧調整部（５６、１００、１３０）が、前記トランジスタスイッチに対応するスイッチ（６２Ａ〜６２Ｄ）を用いた前記ドライバ回路のレプリカ回路（６０）と、
前記レプリカ回路へ前記スイッチの各々の駆動電圧（Ｖrin、Ｖrinx）を出力する第３の電圧源（６８、７０）と、
前記レプリカ回路の出力する電圧（ｖout、ｖoutx）が前記レプリカ回路のインピーダンスを前記伝送線路の特性インピーダンスに対応するインピーダンスに整合する電圧となるように前記第３の電圧源の出力する前記駆動電圧を調整する調整部（８２、１０２、１３４）と、
を含み、調整された前記第３の電圧源が出力する前記駆動電圧に応じて前記第２の電圧源が出力する前記動作電圧を調整する、付記１１記載の信号伝送回路(４０、１２０)。
【０１７４】
（付記１３）
前記調整部が、
前記第１の電圧源の出力する前記動作電圧（Ｖddtx、Ｖsstx）に基づいて設定した基準電圧（Ｖｓ、Ｖsx）と、前記レプリカ回路の出力電圧（ｖout、ｖoutx）とを比較する比較部（８６、１３６Ａ、１３６Ｂ）と、
前記レプリカ回路の出力電圧（ｖout、ｖoutx）が前記基準電圧（Ｖｓ、Ｖsx）となるように、前記第３の電圧源の出力する前記駆動電圧の目標電圧を生成する目標生成部（８４Ａ、８４Ｂ、１０４、１０６)と、
を含む付記１２記載の信号伝送回路（４０、１２０）。
【０１７５】
（付記１４）
前記調整部が、
前記レプリカ回路が出力する相補の出力電圧（ｖout、ｖoutx）を比較する比較部（１０８）と、
前記相補の出力電圧の差が小さくなるように、前記第３の電圧源の出力する前記駆動電圧の目標電圧を生成する目標生成部（１０４、１０６）と、
を含む付記１２記載の信号伝送回路（４０）。
【０１７６】
（付記１５）
伝送線路（１４）と、
一対のトランジスタ（Ｍａ、Ｍｂ）の一方が飽和領域で動作され、他方が三極管領域で動作されることで所定のインピーダンスが生じる複数のトランジスタスイッチ（２８Ａ〜２８Ｄ）による相補型のインバータ（２６Ａ、２６Ｂ）を含み、前記トランジスタスイッチの各々が相補の信号（Ｓ、Ｓｘ）に基づいて駆動されることで、相補の電圧（Ｖout、Ｖoutx）を前記伝送線路（１４）へ出力するドライバ回路（２６）、及び前記相補の駆動電圧により前記トランジスタスイッチの各々に前記伝送線路の特性インピーダンス（Ｚｏ）に応じたインピーダンスを生じさせるように調整した電圧を、前記プリドライバに動作電圧（Ｖddpr、Ｖsspr）として供給する第２の電圧源（３６、３８、４４、４６）を備える信号伝送回路（１０、４０、１２０）と、
を含む信号伝送システム（１２）。
【０１７７】
（付記１６）
伝送線路（１４）と、
一対のトランジスタ（Ｍａ、Ｍｂ）によるシンメトリックロード型の複数のトランジスタスイッチ（２８Ａ〜２８Ｄ）による相補型のインバータ（２６Ａ、２６Ｂ）を含み、前記トランジスタスイッチの各々が相補の信号（Ｓ、Ｓｘ）に基づいて駆動されることで、相補の電圧（Ｖout、Ｖoutx）を伝送線路へ出力するドライバ回路（２６）、及び前記相補の駆動電圧により前記トランジスタスイッチの各々に前記伝送線路の特性インピーダンス（Ｚｏ）に応じたインピーダンスを生じさせるように調整した電圧を、前記プリドライバに動作電圧（Ｖddpr、Ｖsspr）として供給する第２の電圧源（３６、３８、４４、４６）を備える信号伝送回路（１０、４０、１２０）と、
を含む信号伝送システム（１２）。
【０１７８】
（付記１７）
前記相補の信号（Ｓ、Ｓｘ）に応じて前記トランジスタスイッチを駆動する相補の駆動電圧（Ｖin、Ｖinx）を前記ドライバ回路へ出力するプリドライバ（２２Ａ、２２Ｂ１２２Ａ、１２２Ｂ）と、
前記相補の駆動電圧により前記トランジスタスイッチの各々に前記伝送線路の特性インピーダンス（Ｚｏ）に応じたインピーダンスを生じさせるように調整した電圧を、前記プリドライバに動作電圧（Ｖddpr、Ｖsspr）として供給する第２の電圧源（３６、３８、４４、４６）と、
を含む付記１５又は付記１６記載の信号伝送システム（１２）。
【０１７９】
（付記１８）
前記第１の電圧源が出力する前記動作電圧に基づき、前記第２の電圧源が出力する前記動作電圧を調整する電圧調整部（５６、１００、１３０）を含む、付記１７記載の信号伝送回路（４０、１２０）。
【０１８０】
（付記１９）
前記電圧調整部（５６、１００、１３０）が、
前記トランジスタスイッチに対応するスイッチ（６２Ａ〜６２Ｄ）を用いた前記ドライバ回路のレプリカ回路（６０）と、
前記レプリカ回路へ前記スイッチの各々の駆動電圧（Ｖrin、Ｖrinx）を出力する第３の電圧源（６８、７０）と、
前記レプリカ回路の出力する電圧（ｖout、ｖoutx）が前記レプリカ回路のインピーダンスを前記伝送線路の特性インピーダンスに対応するインピーダンスに整合する電圧となるように前記第３の電圧源の出力する前記駆動電圧を調整する調整部（８２、１０２、１３４）と、
を含み、調整された前記第３の電圧源が出力する前記駆動電圧に応じて前記第２の電圧源が出力する前記動作電圧を調整する、付記１８記載の信号伝送システム（１２）。
【０１８１】
（付記２０）
前記調整部が、
前記第１の電圧源の出力する前記動作電圧（Ｖddtx、Ｖsstx）に基づいて設定した基準電圧（Ｖｓ、Ｖsx）と前記レプリカ回路の出力電圧（ｖout、ｖoutx）とを比較する比較部（８６、１３６Ａ、１３６Ｂ）と、
前記レプリカ回路の出力電圧（ｖout、ｖoutx）が前記基準電圧（Ｖｓ、Ｖsx）となるように、前記第３の電圧源の出力する前記駆動電圧の目標電圧を生成する目標生成部（８４Ａ、８４Ｂ、１０４、１０６)と、
を含む付記１９記載の信号伝送システム（１２）。
【０１８２】
（付記２１）
前記調整部が、
前記レプリカ回路が出力する相補の出力電圧（ｖout、ｖoutx）を比較する比較部（１０８）と、
前記相補の出力電圧の差が小さくなるように、前記第３の電圧源の出力する前記駆動電圧の目標電圧を生成する目標生成部（１０４、１０６）と、
を含む付記１２記載の信号伝送システム（１２）。
【０１８３】
（付記２２）
一対のトランジスタ（Ｍａ、Ｍｂ）の一方が飽和領域で動作され、他方が三極管領域で動作されることで所定のインピーダンスが生じる複数のトランジスタスイッチ（２８Ａ〜２８Ｄ）による相補型のインバータ（２６Ａ、２６Ｂ）を含むドライバ回路（２６）を用い、
第１の電圧源（３２、３４）から前記ドライバ回路に動作電圧（Ｖddtx、Ｖsstx）として供給する電圧により、前記ドライバ回路から前記伝送線路へ出力する相補の電圧（Ｖout、Ｖoutx）の振幅を調整し、
前記ドライバ回路の前記トランジスタスイッチの各々を相補の信号（Ｓ、Ｓｘ）に基づいて駆動することで、相補の電圧（Ｖout、Ｖoutx）を前記伝送線路（１４）へ出力する、信号伝送方法。
【０１８４】
（付記２３）
一対のトランジスタ（Ｍａ、Ｍｂ）によるシンメトリックロード型の複数のトランジスタスイッチ（２８Ａ〜２８Ｄ）による相補型のインバータ（２６Ａ、２６Ｂ）を含むドライバ回路（２６）を用い、
第１の電圧源（３２、３４）から前記ドライバ回路に動作電圧（Ｖddtx、Ｖsstx）として供給する電圧により、前記ドライバ回路から前記伝送線路へ出力する相補の電圧（Ｖout、Ｖoutx）の振幅を調整し、
前記ドライバ回路の前記トランジスタスイッチの各々を相補の信号（Ｓ、Ｓｘ）に基づいて駆動することで、相補の電圧（Ｖout、Ｖoutx）を前記伝送線路（１４）へ出力する、信号伝送方法。
【０１８５】
（付記２４）
前記相補の信号（Ｓ、Ｓｘ）に応じて前記トランジスタスイッチを駆動する相補の駆動電圧（Ｖin、Ｖinx）を前記ドライバ回路へ出力するプリドライバ（２２Ａ、２２Ｂ、１２２Ａ、１２２Ｂ）に、
前記相補の駆動電圧により前記トランジスタスイッチの各々に前記伝送線路の特性インピーダンス（Ｚｏ）に応じたインピーダンスを生じさせるように調整した電圧を、第２の電圧源（３６、３８、４４、４６）から前記プリドライバへ動作電圧（Ｖddpr、Ｖsspr）として供給する、
付記２２又は付記２３記載の信号伝送方法。
【０１８６】
（付記２５）
電圧調整部（５６、１００、１３０）により、前記第１の電圧源が出力する前記動作電圧に基づき、前記第２の電圧源が出力する前記動作電圧を調整する、付記２４記載の信号伝送方法。
【０１８７】
（付記２６）
前記トランジスタスイッチに対応するスイッチ（６２Ａ〜６２Ｄ）を用いた前記ドライバ回路のレプリカ回路（６０）に、第３の電圧源（６８、７０）から供給する前記スイッチの各々の駆動電圧（Ｖrin、Ｖrinx）を、
調整部（８２、１０２、１３４）により、前記レプリカ回路の出力する電圧（ｖout、ｖoutx）が前記レプリカ回路のインピーダンスを前記伝送線路の特性インピーダンスに対応するインピーダンスに整合する電圧となるように調整し、
調整された前記第３の電圧源が出力する前記駆動電圧に応じて前記第２の電圧源が出力する前記動作電圧を調整する、
付記２５記載の信号伝送方法。
【符号の説明】
【０１８８】
１０、４０、１２０    信号伝送回路
１２    信号伝送システム
１４    伝送線路
１８    ＬＳＩ
２０    ドライバ部
２２、４２、１２２    プリドライバ部
２２Ａ、２２Ｂ、１２２Ａ、１２２Ｂ    プリドライバ
２４    インバータ
２６    ドライバ回路
２８    終端抵抗スイッチ
３２、３４    レギュレータ
３６、３８、４４、４６、１２４、１２６    レギュレータ
５６    電圧調整部
６０    スイッチ回路
６２    抵抗スイッチ
６８、７０    レギュレータ
８２、１０２、１３４    ロジック回路
【図１】
2014007654.tif 000006
【図２】
2014007654.tif 000007
【図３】
2014007654.tif 000008
【図４】
2014007654.tif 000009
【図５】
2014007654.tif 000010
【図６】
2014007654.tif 000011
【図７】
2014007654.tif 000012
【図８】
2014007654.tif 000013
【図９】
2014007654.tif 000014
【図１０】
2014007654.tif 000015
【図１１】
2014007654.tif 000016
【図１２】
2014007654.tif 000017
【図１３】
2014007654.tif 000018
【図１４】
2014007654.tif 000019
【図１５】
2014007654.tif 000020
【図１６】
2014007654.tif 000021
【図１７】
2014007654.tif 000022
【図１８】
2014007654.tif 000023
【図１９】
2014007654.tif 000024